(57)【要約】  本開示は、様々な駆動ラインに接続されたピクセルを有するシステムおよび装置を提供する。一実施態様では、パッシブマトリックスディスプレイ装置は、行および列に配列され、各コモンラインが単色のディスプレイ要素を駆動し、複数のコモンラインのうちの少なくとも1つのコモンラインが2つ以上の行を駆動するために2つ以上の行内のディスプレイ要素に結合される、複数のディスプレイ要素と、複数のセグメントラインの各セットがディスプレイ要素の列に関連付けられ、複数のセグメントラインのセットの1つのセグメントラインが、列に沿った1つの行の所与の色のディスプレイ要素をアドレス指定し、複数のセグメントラインのセット内の他のセグメントラインが、列に沿った別の行の所与の色のディスプレイ要素をアドレス指定する、複数のセグメントラインの複数のセットとを含む。
2015504532.tif 000002
【特許請求の範囲】
【請求項１】
パッシブマトリックス表示装置であって、
アレイを形成する行および列内に配列され、各ディスプレイ要素が、暗状態およびディスプレイ要素が光の色を与えることができる明状態を有するように構成された、複数のディスプレイ要素と、
前記複数のディスプレイ要素に電気的駆動信号を与えることができ、各コモンラインが、ディスプレイ要素の2つ以上の行に関連付けられ、前記明状態において同じ光の色を与えかつディスプレイ要素の関連する2つ以上の行内にあるディスプレイ要素に電気的に接続される、複数のコモンラインと、
複数のセグメントラインの各々がディスプレイ要素の2つの列の間に配設され、複数のセグメントラインの各セットがディスプレイ要素の列に関連付けられる、複数のセグメントラインの複数のセットとを備え、
前記表示装置が、前記セグメントラインのうちの1つと前記コモンラインのうちの1つとを使用して前記アレイ内の前記ディスプレイ要素の各々をアドレス指定するように構成される、装置。
【請求項２】
複数のセグメントラインの1セットが、ペアになったセグメントラインを含む、請求項1に記載の装置。
【請求項３】
各コモンラインが、前記コモンラインが関連付けられている前記ディスプレイ要素の前記2つ以上の行のうちの少なくとも2つの間に配設される、請求項2に記載の装置。
【請求項４】
ディスプレイ要素の前記2つ以上の行内の前記ディスプレイ要素の各々が前記同じ光の色を与える、請求項2に記載の装置。
【請求項５】
セグメントラインの各ペアがディスプレイ要素の列に関連付けられ、セグメントラインのペアの第1のセグメントラインが、2つの行のうちの一方の中でかつディスプレイ要素の第1の列の中の第1の色の第1のディスプレイ要素に接続され、セグメントラインの前記ペアの第2のセグメントラインが、前記2つの行のうちの他方の中でかつディスプレイ要素の前記第1の列の中の前記第1の色の第2のディスプレイ要素に接続される、請求項4に記載の装置。
【請求項６】
前記表示装置が、ディスプレイ要素の前記2つの行に関連付けられたコモンラインと、セグメントラインとによって前記2つの行の中の前記ディスプレイ要素の各々を個別にアドレス指定するように構成される、請求項5に記載の装置。
【請求項７】
前記2つの行の中の前記ディスプレイ要素の各々が緑の光を与える、請求項3に記載の装置。
【請求項８】
前記表示装置が、前記2つの行に関連付けられたコモンラインと、各ディスプレイ要素がその中に配設された列に関連付けられたセグメントラインとによって前記2つの行の中の前記ディスプレイ要素の各々を個別にアドレス指定するように構成される、請求項2に記載の装置。
【請求項９】
ディスプレイ要素の前記アレイを備える電子ディスプレイと、
前記電子ディスプレイと通信するように構成され、画像データを処理するように構成されたプロセッサと、
前記プロセッサと通信するように構成されたメモリデバイスと
をさらに備える、請求項1に記載の装置。
【請求項１０】
前記ディスプレイに少なくとも1つの信号を送るように構成されたドライバ回路をさらに備える、請求項9に記載の装置。
【請求項１１】
前記ドライバ回路に前記画像データの少なくとも一部分を送るように構成されたコントローラをさらに備える、請求項10に記載の装置。
【請求項１２】
前記プロセッサに前記画像データを送るように構成された画像ソースモジュールをさらに備える、請求項9に記載の装置。
【請求項１３】
前記画像ソースモジュールが、受信機、トランシーバ、および送信機のうちの少なくとも1つを含む、請求項12に記載の装置。
【請求項１４】
入力データを受信し、前記プロセッサに前記入力データを通信するように構成された入力デバイスをさらに備える、請求項9に記載の装置。
【請求項１５】
アレイドライバから前記コモンラインに駆動信号を伝達するための複数の駆動ラインをさらに備え、前記同じ色のディスプレイ要素に接続されたコモンラインのペアが、それぞれ、前記複数の駆動ラインのうちの1つに電気的に接続される、請求項1に記載の装置。
【請求項１６】
セグメントラインの各ペアがディスプレイ要素の列に関連付けられ、セグメントラインのペアの第1のセグメントラインが、第1のコモンラインに関連付けられたディスプレイ要素の前記2つの行のうちの一方の中で第1の色の第1のディスプレイ要素に接続され、前記セグメントラインペアの第2のセグメントラインが、前記第1のコモンラインに関連付けられたディスプレイ要素の前記2つの行のうちの他方の中で前記第1の色の第2のディスプレイ要素に接続される、請求項2に記載の装置。
【請求項１７】
セグメントラインの各ペアが、ディスプレイ要素の列に関連付けられ、
セグメントラインのペアの第1のセグメントラインが、第1のコモンラインに関連付けられたディスプレイ要素の前記2つの行のうちの一方の中でかつディスプレイ要素の第1の列の中の第1の色の第1のディスプレイ要素に接続され、セグメントラインの前記ペアの第2のセグメントラインが、第2のコモンラインに関連付けられた前記2つの行のうちの一方の中でかつディスプレイ要素の前記第1の列の中の前記第1の色の第2のディスプレイ要素に接続され、
前記第1および前記第2のコモンラインが、コモンラインのペアを形成し、同じ駆動ラインに接続される、請求項15に記載の装置。
【請求項１８】
パッシブマトリックス表示装置であって、
暗状態および情報表示手段が光の色を与える明状態を、情報表示手段の各々が有するように構成された、情報を表示するための複数の手段と、
行駆動信号供給手段の各々が情報表示手段の2つの行に関連付けられ、明状態において同じ光の色を与えかつ情報表示手段の関連する2つの行内にある情報表示手段に前記行駆動信号供給手段の各々が電気的に接続される、情報表示手段の行に駆動信号を与えるための複数の手段と、
列駆動信号供給手段の各ペアが情報表示手段の2つの列の間に配設され、各列駆動信号供給手段が情報表示手段の列に関連付けられる、情報表示手段の列に駆動信号を与えるための複数のペアになった手段とを含み、
前記表示装置が、前記行駆動信号供給手段のうちの1つと、前記セグメントラインのうちの1つと、前記列駆動信号供給手段のうちの1つとを使用して前記情報表示手段のアレイの各々をアドレス指定するように構成される、装置。
【請求項１９】
前記情報表示手段が、アレイを形成する行および列内に配列された複数のディスプレイ要素を含み、各ディスプレイ要素が、暗状態および前記ディスプレイ要素が光の色を与える明状態を有するように構成される、請求項18に記載の装置。
【請求項２０】
前記列駆動信号供給手段が複数のコモンラインを含む、請求項18に記載の装置。
【請求項２１】
前記列駆動信号供給手段が、複数のペアになったセグメントラインを含む、請求項18に記載の装置。
【請求項２２】
パッシブマトリックス表示装置を製造する方法であって、
アレイを形成する行および列内に配列され、各ディスプレイ要素が、暗状態およびディスプレイ要素が光の色を与えることができる明状態を有するように構成された、複数のディスプレイ要素を設けるステップと、
前記複数のディスプレイ要素に電気的駆動信号を与えることができ、各コモンラインがディスプレイ要素の2つの行に関連付けられる、複数のコモンラインを設け、また、前記明状態において同じ光の色を与えかつディスプレイ要素の関連する2つの行内にあるディスプレイ要素に各コモンラインを接続するステップと、
複数のセグメントラインのセットがディスプレイ要素の2つの列の間に配設され、複数のセグメントラインの各セットがディスプレイ要素の列に関連付けられる、複数のセグメントラインの複数のセットを設けるステップと、
前記セグメントラインのうちの1つと前記コモンラインのうちの1つとを使用して前記アレイ内の前記ディスプレイ要素の各々をアドレス指定するように前記表示装置を構成するステップとを含む、方法。
【請求項２３】
複数のセグメントラインの各セットがディスプレイ要素の列に関連付けられ、前記方法が、
ディスプレイ要素の第1の列内で第1の色の第1のディスプレイ要素に複数のセグメントラインのセットの第1のセグメントラインを接続するステップと、
ディスプレイ要素の前記第1の列内で前記第1の色の第2のディスプレイ要素にセグメントラインのペアの複数のセグメントラインの前記セットの第2のセグメントラインを接続するステップとをさらに含み、前記第1および前記第2のディスプレイ要素が同じコモンラインに電気的に接続される、請求項22に記載の方法。
【請求項２４】
アレイドライバから前記コモンラインに駆動信号を伝達するための複数の駆動ラインを設けるステップをさらに含む、請求項22に記載の方法。
【請求項２５】
セグメントラインの各ペアが、ディスプレイ要素の列に関連付けられ、前記方法が、
第1のコモンラインに関連付けられたディスプレイ要素の前記2つの行のうちの一方の中でかつディスプレイ要素の第1の列の中の第1の色の第1のディスプレイ要素に、セグメントラインのペアの第1のセグメントラインを接続し、第2のコモンラインに関連付けられた前記2つの行のうちの一方の中でかつディスプレイ要素の前記第1の列の中の前記第1の色の第2のディスプレイ要素に、セグメントラインの前記ペアの第2のセグメントラインを接続するステップと、
コモンラインのペアを形成する前記第1および前記第2のコモンラインを同じ駆動ラインに接続するステップとをさらに含む、請求項24に記載の方法。
【発明の詳細な説明】
【技術分野】
【０００１】
本開示は、電気機械ディスプレイシステム(electromechanical display system)のためのピクセル構成に関する。
【背景技術】
【０００２】
電気機械システム(EMS)は、電気的および機械的な要素と、アクチュエータと、トランスデューサと、センサと、光学的構成要素(ミラーおよび光学フイルム層など)と、電子回路とを有するデバイスを含む。電気機械システムは、限定はしないが、マイクロスケールおよびナノスケールを含む、様々なスケールで製造され得る。たとえば、マイクロ電気機械システム(MEMS:microelectromechanical system)デバイスは、約1ミクロンから数百ミクロン以上に及ぶサイズを有する構造を含むことができる。ナノ電気機械システム(NEMS:nanoelectromechanical system)デバイスは、たとえば、数百ナノメートルよりも小さいサイズを含む、1ミクロンよりも小さいサイズを有する構造を含むことができる。電気および電気機械デバイスを形成するために、堆積、エッチング、リソグラフィを使用して、ならびに/あるいは、基板および/または堆積された材料層の部分をエッチング除去するかまたは層を追加する、他の微細加工プロセスを使用して、電気機械要素が作成され得る。
【０００３】
1つのタイプの電気機械システムデバイスは干渉変調器(IMOD:interferometric modulator)と呼ばれる。本明細書で使用する干渉変調器または干渉光変調器という用語は、光学干渉の原理を使用して光を選択的に吸収および/または反射するデバイスを指す。いくつかの実施態様では、干渉変調器は伝導性プレートのペアを含み得、そのペアの一方または両方は、全体的にまたは部分的に、透明でおよび/または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【発明の概要】
【課題を解決するための手段】
【０００４】
本開示のシステム、方法およびデバイスは、それぞれいくつかの発明的態様を有し、それらのうちの単一の態様が、単独で、本明細書で開示する望ましい属性を担当するとは限らない。
【０００５】
本開示で説明する主題の1つの発明的態様は、アレイを形成する行および列に配列され、各ディスプレイ要素が、暗状態およびディスプレイ要素が光の色を与えることができる明状態を有するように構成された、複数のディスプレイ要素と、複数のディスプレイ要素に電気的駆動信号を与えることができ、各コモンラインがディスプレイ要素の2つ以上の行に関連付けられ、明状態において同じ光の色を与えかつディスプレイ要素の関連する2つ以上の行内にあるディスプレイ要素に電気的に接続された、複数のコモンラインと、複数のセグメントラインの各々がディスプレイ要素の2つの列の間に配設され、複数のセグメントラインの各セットがディスプレイ要素の列に関連付けられる、複数のセグメントラインの複数のセットとを含む、パッシブマトリックス表示装置内で実施され得る。表示装置は、セグメントラインのうちの1つとコモンラインのうちの1つとを使用してアレイ内のディスプレイ要素の各々をアドレス指定するように構成される。
【０００６】
表示装置の一態様では、複数のセグメントラインの1セットは、ペアになったセグメントラインを含む。各コモンラインは、コモンラインが関連付けられているディスプレイ要素の2つ以上の行のうちの少なくとも2つの間に配設され得る。いくつかの実施態様では、ディスプレイ要素の2つ以上の行内のディスプレイ要素の各々は、同じ光の色を与える。一態様では、セグメントラインの各ペアはディスプレイ要素の1つの列に関連付けられ、セグメントラインのペアの第1のセグメントラインは、2つの行のうちの一方の中でかつディスプレイ要素の第1の列の中の第1の色の第1のディスプレイ要素に接続され、セグメントラインのペアの第2のセグメントラインは、2つの行のうちの他方の中でかつディスプレイ要素の第1の列の中の第1の色の第2のディスプレイ要素に接続される。別の態様では、表示装置は、ディスプレイ要素の2つの行に関連付けられたコモンラインと、セグメントラインとによって2つの行の中のディスプレイ要素の各々を個別にアドレス指定するように構成される。
【０００７】
いくつかの実施態様では、2つの行の中のディスプレイ要素の各々は、緑の光を与える。いくつかの実施態様では、表示装置は、2つの行に関連付けられたコモンラインと、各ディスプレイ要素がその中に配設された列に関連付けられたセグメントラインとによって2つの行の中のディスプレイ要素の各々を個別にアドレス指定するように構成される。
【０００８】
そのような表示装置は、ディスプレイ要素のアレイと、電子ディスプレイと通信するように構成されたプロセッサと、画像データを処理するように構成されたプロセッサと、プロセッサと通信するように構成されたメモリデバイスとを備える電子ディスプレイをさらに含み得る。表示装置はまた、ディスプレイに少なくとも1つの信号を送るように構成されたドライバ回路を含み得る。表示装置は、ドライバ回路に画像データの少なくとも一部分を送るように構成されたコントローラをさらに含み得る。表示装置は、プロセッサに画像データを送るように構成された画像ソースモジュールを含み得る。画像ソースモジュールは、受信機、トランシーバ、および送信機のうちの少なくとも1つを含み得る。いくつかの実施態様では、この装置はまた、入力データを受け取り、プロセッサに入力データを伝達するように構成された入力デバイスを含み得る。表示装置は、アレイドライバからコモンラインに駆動信号を伝達するために、複数の駆動ラインをさらに含み得、同じ色のディスプレイ要素に接続されたコモンラインのペアは、それぞれ、複数の駆動ラインのうちの1つに電気的に接続される。いくつかの実施態様では、セグメントラインの各ペアはディスプレイ要素の列に関連付けられ、セグメントラインのペアの第1のセグメントラインは、第1のコモンラインに関連付けられたディスプレイ要素の2つの行のうちの一方の中の第1の色の第1のディスプレイ要素に接続され、セグメントラインペアの第2のセグメントラインは、第1のコモンラインに関連付けられたディスプレイ要素の2つの行のうちの他方の中の第1の色の第2のディスプレイ要素に接続される。いくつかの実施態様では、セグメントラインの各ペアはディスプレイ要素の列に関連付けられ、セグメントラインのペアの第1のセグメントラインは、第1のコモンラインに関連付けられたディスプレイ要素の2つの行のうちの一方の中でかつディスプレイ要素の第1の列の中の第1の色の第1のディスプレイ要素に接続され、セグメントラインのペアの第2のセグメントラインは、第2のコモンラインに関連付けられた2つの行のうちの一方の中でかつディスプレイ要素の第1の列の中の第1の色の第2のディスプレイ要素に接続される。また、第1および第2のコモンラインは、コモンラインのペアを形成し得、同じ駆動ラインに接続される。
【０００９】
本開示で説明する主題の他の発明的態様は、暗状態および情報表示手段が光の色を与える明状態を、情報表示手段の各々が有するように構成された、情報を表示するための複数の手段と、行駆動信号供給手段の各々が情報表示手段の2つの行に関連付けられ、明状態において同じ光の色を与えかつ情報表示手段の関連する2つの行内にある情報表示手段に行駆動信号供給手段の各々が電気的に接続される、情報表示手段の行に駆動信号を与えるための複数の手段と、列駆動信号供給手段の各ペアが情報表示手段の2つの列の間に配設され、各列駆動信号供給手段が情報表示手段の列に関連付けられる、情報表示手段の列に駆動信号を与えるための複数のペアになった手段とを含み、表示装置が、行駆動信号供給手段のうちの1つと、セグメントラインのうちの1つと、列駆動信号供給手段のうちの1つとを使用して情報供給手段のアレイの各々をアドレス指定するように構成される、表示装置内で実装され得る。いくつかの実施態様では、情報表示手段は、アレイを形成する行および列内に配列され、各ディスプレイ要素が、暗状態およびディスプレイ要素が光の色を与える明状態を有するように構成された、複数のディスプレイ要素を含む。列駆動信号供給手段は、複数のコモンラインを含み得る。いくつかの実施態様では、列駆動信号供給手段は、複数のペアになったセグメントラインを含む。
【００１０】
本開示で説明する主題の他の発明的態様は、パッシブマトリックス表示装置を製造する方法において実施され得、方法は、アレイを形成する行および列内に配列され、各ディスプレイ要素が、暗状態およびディスプレイ要素が光の色を与えることができる明状態を有するように構成された、複数のディスプレイ要素を設けるステップと、複数のディスプレイ要素に電気的駆動信号を与えることができ、各コモンラインがディスプレイ要素の2つの行に関連付けられる、複数のコモンラインを設け、また、明状態において同じ光の色を与えかつディスプレイ要素の関連する2つの行内にあるディスプレイ要素に各コモンラインを接続するステップと、ディスプレイ要素の2つの列の間に配設され、複数のセグメントラインの各セットがディスプレイ要素の列に関連付けられる、複数のセグメントラインの複数のセットを設けるステップと、セグメントラインのうちの1つとコモンラインのうちの1つとを使用してアレイ内のディスプレイ要素の各々をアドレス指定するように表示装置を構成するステップとを含む。
【００１１】
そのような方法のいくつかの実施態様では、複数のセグメントラインの各セットがディスプレイ要素の列に関連付けられ、方法は、ディスプレイ要素の第1の列内の第1の色の第1のディスプレイ要素に複数のセグメントラインのセットの第1のセグメントラインを接続するステップと、ディスプレイ要素の第1の列内の第1の色の第2のディスプレイ要素にセグメントラインのペアの複数のセグメントラインのセットの第2のセグメントラインを接続するステップとをさらに含み、第1および第2のディスプレイ要素が同じコモンラインに電気的に接続される。方法は、アレイドライバからコモンラインに駆動信号を伝達するために複数の駆動ラインを設けるステップをさらに含み得る。セグメントラインの各ペアはディスプレイ要素の列に関連付けられ得、方法は、第1のコモンラインに関連付けられたディスプレイ要素の2つの行のうちの一方の中でかつディスプレイ要素の第1の列の中の第1の色の第1のディスプレイ要素に、セグメントラインのペアの第1のセグメントラインを接続するステップと、第2のコモンラインに関連付けられた2つの行のうちの一方の中でかつディスプレイ要素の第1の列の中の第1の色の第2のディスプレイ要素に、セグメントラインのペアの第2のセグメントラインを接続するステップと、コモンラインのペアを形成する第1および第2のコモンラインを同じ駆動ラインに接続するステップとをさらに含み得る。
【００１２】
本明細書で説明する主題の1つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００１３】
【図１】干渉変調器(IMOD)ディスプレイデバイスの一連のピクセル中の2つの隣接ピクセルを示す等角図の一例である。
【図２】3×3干渉変調器ディスプレイを組み込んだ電子デバイスを示すシステムブロック図の一例である。
【図３】図1の干渉変調器についての可動反射層位置対印加電圧を示す図の一例である。
【図４】様々なコモン電圧およびセグメント電圧が印加されたときの干渉変調器の様々な状態を示す表の一例を示す図である。
【図５Ａ】図2の3×3干渉変調器ディスプレイにおけるディスプレイデータのフレームを示す図の一例である。
【図５Ｂ】図5Aに示すディスプレイデータのフレームを書き込むために使用され得るコモン信号およびセグメント信号についてのタイミング図の一例である。
【図６Ａ】図1の干渉変調器ディスプレイの部分断面図の一例である。
【図６Ｂ】干渉変調器の異なる実施態様の断面図の一例である。
【図６Ｃ】干渉変調器の異なる実施態様の断面図の一例である。
【図６Ｄ】干渉変調器の異なる実施態様の断面図の一例である。
【図６Ｅ】干渉変調器の異なる実施態様の断面図の一例である。
【図７】干渉変調器のための製造プロセスを示す流れ図の一例である。
【図８Ａ】干渉変調器を製作する方法における様々な段階の断面概略図の一例である。
【図８Ｂ】干渉変調器を製作する方法における様々な段階の断面概略図の一例である。
【図８Ｃ】干渉変調器を製作する方法における様々な段階の断面概略図の一例である。
【図８Ｄ】干渉変調器を製作する方法における様々な段階の断面概略図の一例である。
【図８Ｅ】干渉変調器を製作する方法における様々な段階の断面概略図の一例である。
【図９】トライアッド構成に配列されたディスプレイ要素を有する、ディスプレイの一部分におけるピクセルを表す平面図の一例である。
【図１０】各ピクセルが、クワッド構成に配列されたディスプレイ要素を有する、ディスプレイの一部分におけるピクセルを表す平面図の一例である。
【図１１】各ピクセルがクワッド構成に配列されたディスプレイ要素を有し、緑の光を反射するためのディスプレイ要素が別の緑のディスプレイ要素の作動面積よりも小さい作動面積を有する、ディスプレイの一部分におけるピクセルを表す平面図の一例である。
【図１２】各ピクセルが、2×2クワッド構成に配列された1つの赤と、1つの青と、2つの緑とのディスプレイ要素を有し、各ピクセルの2つの緑のディスプレイ要素が互いに対角線上に整列される、ディスプレイの一部分におけるピクセルを表すディスプレイの平面図の別の例である。
【図１３】各ピクセルが図12に示すディスプレイに類似するクワッド構成に配列されたディスプレイ要素を有し、各ピクセルがピクセル内の別の緑のディスプレイ要素の作動面積よりも小さい作動面積を有する緑の光を反射するためのディスプレイ要素を含む、ディスプレイの一部分におけるピクセルを表す平面図の別の例である。
【図１４】各ピクセルが図12に示すディスプレイに類似するクワッド構成に配列されたディスプレイ要素を有し、各ピクセルがピクセル内の赤のディスプレイ要素および青のディスプレイ要素よりも小さい作動面積を各々が有する緑の光を反射するための2つのディスプレイ要素を含む、ディスプレイの一部分におけるピクセルを表す平面図の別の例である。
【図１５】各ピクセルが2つの隣接する緑のディスプレイ要素と、赤のディスプレイ要素と、青のディスプレイ要素とを有する、ディスプレイ1500の一部分におけるピクセルを表す平面図の一例である。
【図１６】各ピクセルが図15に示すものと同じ構成に配列された2つの隣接する緑のディスプレイ要素と、赤のディスプレイ要素と、青のディスプレイ要素とを有し、緑のディスプレイ要素が赤および青のディスプレイ要素よりも小さい作動面積を有する、ディスプレイの一部分におけるピクセルを表す平面図の一例である。
【図１７】各ピクセルが図15に示すものと同じ構成に配列された2つの隣接する緑のディスプレイ要素と、赤のディスプレイ要素と、青のディスプレイ要素とを有し、1つおきのピクセルの緑のディスプレイ要素が赤と青の両方のディスプレイ要素の作動面積のサイズの半分以下の作動面積を有する、ディスプレイの一部分におけるピクセルを表す平面図の一例である。
【図１８】各ピクセルが赤のディスプレイ要素と、青のディスプレイ要素と、一列に配列された2つの緑のディスプレイ要素とを有し、2つの緑のディスプレイ要素が、それぞれ赤または青のディスプレイ要素の作動面積よりも小さい作動面積を有し、ピクセルの各々に対して緑のディスプレイ要素が互いに隣接する、ディスプレイ1800の一部分における隣接ピクセルを表す平面図の一例である。
【図１９Ａ】図9に示すディスプレイ900の一部分におけるディスプレイ要素に結合され、ディスプレイ要素の列の間に配設された2つのセグメントラインを有する、ラインを表す平面図の概略図である。
【図１９Ｂ】図18に示すディスプレイ1800の一部分におけるディスプレイ要素に結合され、ディスプレイ要素の列の間に配設された2つのセグメントラインを有する、駆動ラインを表す平面図の一例である。
【図１９Ｃ】ディスプレイの一部分におけるディスプレイ要素に結合され、ディスプレイ要素の列の間に配設された1つのセグメントラインを有する、駆動ラインを表す平面図の一例である。
【図２０Ａ】複数の干渉変調器を含むディスプレイデバイスを示すシステムブロック図の一例である。
【図２０Ｂ】複数の干渉変調器を含むディスプレイデバイスを示すシステムブロック図の一例である。
【発明を実施するための形態】
【００１４】
様々な図面中の同様の参照番号および名称は、同様の要素を示す。
【００１５】
以下の説明は、本開示の発明的態様について説明するために、いくつかの実施態様に向けられる。ただし、本明細書の教示が多数の異なる方法において適用できることは、当業者は容易に認識されよう。説明される実施態様は、動いていようと(たとえば、ビデオ)、静止していようと(たとえば、静止画像)、およびテキストであろうと、グラフィックであろうと、絵であろうと、画像を表示するように構成することができる任意のデバイスまたはシステムにおいて実施することができる。より詳細には、説明される実施態様は、限定はしないが、携帯電話、マルチメディアインターネット対応セルラー電話、モバイルテレビジョン受信機、ワイヤレスデバイス、スマートフォン、Bluetooth(登録商標)デバイス、携帯情報端末(PDA)、ワイヤレス電子メール受信機、ハンドヘルドまたはポータブルコンピュータ、ネットブック、ノートブック、スマートブック、タブレット、プリンタ、コピー機、スキャナ、ファクシミリデバイス、GPS受信機/ナビゲータ、カメラ、MP3プレーヤ、カムコーダ、ゲーム機、腕時計、クロック、計算器、テレビジョンモニタ、フラットパネルディスプレイ、電子リーディングデバイス(すなわち、電子リーダー)、コンピュータモニタ、自動車ディスプレイ(オドメータおよびスピードメータディスプレイなどを含む)、コックピットコントロールおよび/またはディスプレイ、カメラビューディスプレイ(車両における後部ビューカメラのディスプレイなど)、電子写真、電子ビルボードまたは標示、プロジェクタ、アーキテクチャ構造物、電子レンジ、冷蔵庫、ステレオシステム、カセットレコーダーまたはプレーヤ、DVDプレーヤ、CDプレーヤ、VCR、ラジオ、ポータブルメモリチップ、洗濯機、乾燥機、洗濯機/乾燥機、パーキングメータ、(電気機械システム(EMS)、マイクロ電気機械システム(MEMS)および非MEMS適用例などにおける)パッケージング、審美構造物(たとえば、1つの宝飾品上の画像のディスプレイ)、ならびに様々なEMSデバイスなど、種々の電子デバイス中に含まれ得るかまたはそれらに関連付けられ得ることを企図している。また、本明細書の教示は、限定はしないが、電子スイッチングデバイス、無線周波数フィルタ、センサ、加速度計、ジャイロスコープ、運動検知デバイス、磁力計、コンシューマ
ーエレクトロニクスのための慣性構成要素、コンシューマーエレクトロニクス製品の部品、バラクタ、液晶デバイス、電気泳動デバイス、駆動方式、製造プロセスおよび電子テスト機器など、ディスプレイ以外の応用形態において使用することもできる。したがって、本教示は、単に図に示す実施態様に限定されるものではなく、代わりに、当業者には容易に明らかになるであろう広い適用性を有する。
【００１６】
コンピュータおよびモバイルデバイスのための電子ディスプレイおよび電気機械ディスプレイは、行および列に整列され、ピクセルを形成するように配列されたディスプレイ要素のアレイを含み得る。パッシブディスプレイでは、ドライバ回路が行内のディスプレイ要素のいずれかをアドレス指定するために送る駆動信号を行内のディスプレイ要素のすべてが受けるように、ディスプレイの1行内のディスプレイ要素が電気的に接続される。異なる色(たとえば、赤、緑、または青)を表示するように構成されたディスプレイ要素が異なる駆動電圧振幅を使用する場合、すべてのディスプレイ要素に好適な、適切な駆動電圧を決定することは困難であることがある。本明細書で説明する実装形態では、同じ色を作成するように構成された複数のディスプレイ要素を駆動ラインが接続することを可能にするピクセル構成を開示する。これらの構成は、次いで、適切な駆動電圧を用いてアドレス指定され得る。
【００１７】
本開示で説明する主題の特定の実施態様は、以下の潜在的な利点うちの1つまたは複数を実現するために実施され得る。ディスプレイ内で使用されるいくつかのピクセル配列は、赤/緑/青の3×3マトリックスのストライプのデータラインとして構成される。そのような配列は、ディスプレイに対して、最小ピクセル寸法、したがって最大の達成可能なピクセルパーインチ(PPI)に限界を設けることがある。この課題に対処するいくつかの実施態様では、ピクセル構成(またはモザイク)は、たとえば、3×3構成の代わりに2×2「クワッドピクセル」構成に配列され得る。そのような構成は、ディスプレイパネル解像度を314〜362PPIの範囲に高めるために使用され得る。加えて、2×2クワッドピクセルのいくつかの配列は、3色すべてのディスプレイ要素が個別の「COM」すなわち「コモン」駆動ラインに接続されることを可能にする。本明細書で使用する「COM駆動ライン」または単に「COMライン」は、駆動信号が特定のラインまたはディスプレイ要素の行に沿ったコモン要素に与えられるコモン信号ラインに言及する広い用語である。いくつかの実施態様では、ルーティング接続が、ブラックマスク構造、たとえば、ブラックマスクの単層またはブラックマスク構造の2つ以上の層を通して行われる。
【００１８】
説明する実施態様が適用され得る好適なEMSまたはMEMSデバイスの一例は、反射型ディスプレイデバイスである。反射型ディスプレイデバイスは、光学干渉の原理を使用してそれに入射する光を選択的に吸収および/または反射するために干渉変調器(IMOD)を組み込むことができる。IMODは、吸収器、吸収器に対して可動である反射体、ならびに吸収器と反射体との間に画定された光共振キャビティを含むことができる。反射体は、2つ以上の異なる位置に移動され得、これは、光共振キャビティのサイズを変化させ、それにより干渉変調器の反射率に影響を及ぼすことがある。IMODの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって調節され得る。光共振キャビティを変更する1つの方法は、反射体の位置を変更することによるものである。
【００１９】
図1は、干渉変調器(IMOD)ディスプレイデバイスの一連のピクセル中の2つの隣接ピクセルを示す等角図の一例を示す。IMODディスプレイデバイスは、1つまたは複数の干渉MEMSディスプレイ要素を含む。これらのデバイスでは、MEMSディスプレイ要素のピクセルが、明状態または暗状態のいずれかにあることがある。明(「緩和」、「開」または「オン」)状態では、ディスプレイ要素は、たとえば、ユーザに、入射可視光の大部分を反射する。逆に、暗(「作動」、「閉」または「オフ」)状態では、ディスプレイ要素は入射可視光をほとんど反射しない。いくつかの実施態様では、オン状態の光反射特性とオフ状態の光反射特性は逆にされ得る。MEMSピクセルは、黒および白に加えて、主に、カラーディスプレイを可能にする特定の波長において、反射するように構成され得る。
【００２０】
IMODディスプレイデバイスは、IMODの行/列アレイを含むことができる。各IMODは、(光ギャップまたはキャビティとも呼ばれる)エアギャップを形成するように互いから可変で制御可能な距離をおいて配置された反射層のペア、すなわち、可動反射層と固定部分反射層とを含むことができる。可動反射層は、少なくとも2つの位置の間で移動され得る。第1の位置、すなわち、緩和位置では、可動反射層は、固定部分反射層から比較的大きい距離をおいて配置され得る。第2の位置、すなわち、作動位置では、可動反射層は、部分反射層により近接して配置され得る。それら2つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、IMODは、作動していないときに反射状態にあり、可視スペクトル内の光を反射し得、また、作動しているときに暗状態にあり、可視範囲内の光を吸収し、および/または弱め合うようにそれに干渉し得る。ただし、いくつかの他の実施態様では、IMODは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００２１】
図1中のピクセルアレイの図示の部分は、2つの隣接する干渉変調器12を含む。(図示のような)左側のIMOD12では、可動反射層14が、部分反射層を含む光学スタック16からの所定の距離における緩和位置に示されている。左側のIMOD12の両端間に印加された電圧V0は、可動反射層14の作動を引き起こすには不十分である。右側のIMOD12では、可動反射層14は、光学スタック16の近くの、またはそれに隣接する作動位置に示されている。右側のIMOD12の両端間に印加された電圧Vbiasは、可動反射層14を作動位置に維持するのに十分である。
【００２２】
図1では、ピクセル12の反射特性が、概して、ピクセル12に入射する光と、左側のピクセル12から反射する光15とを示す矢印13を用いて示されている。詳細に示していないが、ピクセル12に入射する光13の大部分は透明基板20を透過され、光学スタック16に向かうことになることを、当業者なら理解されよう。光学スタック16に入射する光の一部分は光学スタック16の部分反射層を透過されることになり、一部分は反射され、透明基板20を通って戻ることになる。光学スタック16を透過された光13の部分は、可動反射層14において反射され、透明基板20に向かって(およびそれを通って)戻ることになる。光学スタック16の部分反射層から反射された光と可動反射層14から反射された光との間の(強め合うまたは弱め合う)干渉が、ピクセル12から反射される光15の波長を決定することになる。
【００２３】
光学スタック16は、単一の層またはいくつかの層を含むことができる。その層は、電極層と、部分反射および部分透過層と、透明な誘電体層とのうちの1つまたは複数を含むことができる。いくつかの実施態様では、光学スタック16は、電気伝導性であり、部分的に透明で、部分的に反射性であり、たとえば、透明基板20上に上記の層のうちの1つまたは複数を堆積させることによって、作製され得る。電極層は、様々な金属、たとえば酸化インジウムスズ(ITO)など、様々な材料から形成され得る。部分反射層は、クロム(Cr)などの様々な金属、半導体、および誘電体など、部分的に反射性である様々な材料から形成され得る。部分反射層は、材料の1つまたは複数の層から形成され得、それらの層の各々は、単一の材料または材料の組合せから形成され得る。いくつかの実施態様では、光学スタック16は、光吸収体と電気導体の両方として働く、金属または半導体の単一の半透明の膜(thickness)を含むことができるが、(たとえば、光学スタック16の、またはIMODの他の構造の)異なる、電気的により伝導性の高い層または部分が、IMODピクセル間で信号をバスで運ぶ(bus)ように働くことができる。光学スタック16は、1つまたは複数の伝導性層または電気伝導性/光吸収層をカバーする、1つまたは複数の絶縁層または誘電体層をも含むことができる。
【００２４】
いくつかの実施態様では、光学スタック16の層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム(Al)などの高伝導性および反射性材料が可動反射層14のために使用され得、これらのストリップはディスプレイデバイスにおける列電極を形成し得る。可動反射層14は、(光学スタック16の行電極に直交する)1つまたは複数の堆積された金属層の一連の平行ストリップとして形成されて、ポスト18の上に堆積された列とポスト18間に堆積された介在する犠牲材料とを形成し得る。犠牲材料がエッチング除去されると、画定されたギャップ19または光キャビティが可動反射層14と光学スタック16との間に形成され得る。いくつかの実施態様では、ポスト18間の間隔は約1〜1000μmであり得、ギャップ19は10,000オングストローム(Å)未満であり得る。
【００２５】
いくつかの実施態様では、IMODの各ピクセルは、作動状態にあろうと緩和状態にあろうと、本質的に、固定反射層および可動反射層によって形成されるキャパシタである。電圧が印加されないとき、可動反射層14は、図1中の左側のピクセル12によって示されるように、機械的に緩和した状態にとどまり、可動反射層14と光学スタック16との間のギャップ19がある。しかしながら、電位差、すなわち電圧が、選択された行および列のうちの少なくとも1つに印加されたとき、対応するピクセルにおける行電極と列電極との交差部に形成されたキャパシタは帯電し、静電力がそれらの電極を引き合わせる。印加された電圧がしきい値を超える場合、可動反射層14は、変形し、光学スタック16の近くにまたはそれに対して移動することができる。光学スタック16内の誘電体層(図示せず)が、図1中の右側の作動ピクセル12によって示されるように、短絡を防ぎ、層14と層16との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか(「アレイ」)、または、たとえば、互いに対して一定の位置オフセットを有する、非線形構成で配置され得る(「モザイク」)。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００２６】
図2は、3×3干渉変調器ディスプレイを組み込んだ電子デバイスを示すシステムブロック図の一例を示す。電子デバイスは、1つまたは複数のソフトウェアモジュールを実行するように構成され得るプロセッサ21を含む。オペレーティングシステムを実行することに加えて、プロセッサ21は、ウェブブラウザ、電話アプリケーション、電子メールプログラム、または他のソフトウェアアプリケーションを含む、1つまたは複数のソフトウェアアプリケーションを実行するように構成され得る。
【００２７】
プロセッサ21は、アレイドライバ22と通信するように構成され得る。アレイドライバ22は、たとえば、ディスプレイアレイまたはパネル30に、信号を与える行ドライバ回路24と列ドライバ回路26とを含むことができる。図2には、図1に示したIMODディスプレイデバイスの断面が線1-1によって示されている。図2は明快のためにIMODの3×3アレイを示しているが、ディスプレイアレイ30は、極めて多数のIMODを含んでいることがあり、列におけるIMODの数とは異なる数のIMODを行において有し得、その逆も同様である。
【００２８】
図3は、図1の干渉変調器についての可動反射層位置対印加電圧を示す図の一例を示す。MEMS干渉変調器の場合、行/列(すなわち、コモン/セグメント)書込みプロシージャが、図3に示すこれらのデバイスのヒステリシス特性を利用し得る。干渉変調器は、可動反射層またはミラーに緩和状態から作動状態に変更させるために、例示的な一実施態様では、約10ボルトの電位差を使用し得る。電圧がその値から低減されると、電圧が低下して、この例では、10ボルトより下に戻ったとき、可動反射層はそれの状態を維持するが、電圧が2ボルトより下に低下するまで、可動反射層は完全には緩和しない。したがって、図3に示すように、この例では、印加電圧のウィンドウがある電圧の範囲、約3〜7ボルトが存在し、そのウィンドウ内でデバイスは緩和状態または作動状態のいずれかで安定している。これは、本明細書では「ヒステリシスウィンドウ」または「安定性ウィンドウ」と呼ばれる。図3のヒステリシス特性を有するディスプレイアレイ30の場合、行/列書込みプロシージャは、一度に1つまたは複数の行をアドレス指定するように設計され得、その結果、所与の行のアドレス指定中に、作動されるべきアドレス指定された行におけるピクセルは、この例では、約10ボルトの電圧差にさらされ、緩和されるべきピクセルは、ほぼ0ボルトの電圧差にさらされる。アドレス指定後に、それらのピクセルは、それらが前のストローブ状態にとどまるような、この例では約5ボルトの定常状態またはバイアス電圧差にさらされ得る。この例では、アドレス指定された後に、各ピクセルは、約3〜7ボルトの「安定性ウィンドウ」内の電位差を経験する。このヒステリシス特性の特徴は、図1に示したピクセル設計などのピクセル設計が、同じ印加電圧条件下で作動または緩和のいずれかの既存の状態で安定したままであることを可能にする。各IMODピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくIMODピクセルに流れ込まない。
【００２９】
いくつかの実施態様では、所与の行におけるピクセルの状態の所望の変化(もしあれば)に従って、列電極のセットに沿って「セグメント」電圧の形態のデータ信号を印加することによって、画像のフレームが作成され得る。次に、フレームが一度に1行書き込まれるように、アレイの各行がアドレス指定され得る。第1の行におけるピクセルに所望のデータを書き込むために、第1の行におけるピクセルの所望の状態に対応するセグメント電圧が列電極上に印加され得、特定の「コモン」電圧または信号の形態の第1の行パルスが第1の行電極に印加され得る。次いで、セグメント電圧のセットは、第2の行におけるピクセルの状態の所望の変化(もしあれば)に対応するように変更され得、第2のコモン電圧が第2の行電極に印加され得る。いくつかの実施態様では、第1の行におけるピクセルは、列電極に沿って印加されたセグメント電圧の変化による影響を受けず、第1のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび/または更新され得る。
【００３０】
各ピクセルの両端間に印加されるセグメント信号とコモン信号の組合せ(すなわち、各ピクセルの両端間の電位差)は、各ピクセルの得られる状態を決定する。図4は、様々なコモン電圧およびセグメント電圧が印加されたときの干渉変調器の様々な状態を示す表の一例を示している。当業者によって理解されるように、「セグメント」電圧は、列電極または行電極のいずれかに印加され得、「コモン」電圧は、列電極または行電極のうちの他方に印加され得る。
【００３１】
図4に(ならびに図5Bに示すタイミング図に)示すように、開放電圧(release voltage)VCRELがコモンラインに沿って印加されたとき、コモンラインに沿ったすべての干渉変調器要素は、セグメントラインに沿って印加された電圧、すなわち、高いセグメント電圧VSHおよび低いセグメント電圧VSLにかかわらず、代替的に開放または非作動状態と呼ばれる、緩和状態に入れられることになる。特に、開放電圧VCRELがコモンラインに沿って印加されると、そのピクセルのための対応するセグメントラインに沿って高いセグメント電圧VSHが印加されたときも、低いセグメント電圧VSLが印加されたときも、変調器ピクセルの両端間の潜在的な電圧(代替的にピクセル電圧と呼ばれる)は緩和ウィンドウ(図3参照、開放ウィンドウとも呼ばれる)内にある。
【００３２】
高い保持電圧VCHOLD_Hまたは低い保持電圧VCHOLD_Lなどの保持電圧がコモンライン上に印加されたとき、干渉変調器の状態は一定のままであることになる。たとえば、緩和IMODは緩和位置にとどまることになり、作動IMODは作動位置にとどまることになる。保持電圧は、対応するセグメントラインに沿って高いセグメント電圧VSHが印加されたときも、低いセグメント電圧VSLが印加されたときも、ピクセル電圧が安定性ウィンドウ内にとどまることになるように、選択され得る。したがって、セグメント電圧スイング(voltage swing)、すなわち、高いVSHと低いセグメント電圧VSLとの間の差は、正または負のいずれかの安定性ウィンドウの幅よりも小さい。
【００３３】
高いアドレス指定電圧VCADD_Hまたは低いアドレス指定電圧VCADD_Lなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧VCADD_Hがコモンラインに沿って印加されたとき、高いセグメント電圧VSHの印加は、変調器がそれの現在位置にとどまることを引き起こすことがあり、低いセグメント電圧VSLの印加は、変調器の作動を引き起こすことがある。当然の結果として、低いアドレス指定電圧VCADD_Lが印加されたとき、セグメント電圧の影響は反対であり、高いセグメント電圧VSHは変調器の作動を引き起こし、低いセグメント電圧VSLは変調器の状態に影響しない(すなわち、安定したままである)ことがある。
【００３４】
いくつかの実施態様では、変調器の両端間で同じ極性電位差を引き起こす保持電圧、アドレス電圧、およびセグメント電圧が使用され得る。いくつかの他の実施態様では、時間ごとに変調器の電位差の極性を交番する信号が使用され得る。変調器の両端間の極性の交番(すなわち、書込みプロシージャの極性の交番)は、単一の極性の反復書込み動作後に起こることがある電荷蓄積を低減または抑止し得る。
【００３５】
図5Aは、図2の3×3干渉変調器ディスプレイにおけるディスプレイデータのフレームを示す図の一例を示す。図5Bは、図5Aに示すディスプレイデータのフレームを書き込むために使用され得るコモン信号およびセグメント信号についてのタイミング図の一例を示す。それらの信号は、図2のアレイと同様の3×3アレイに印加され得、これは、図5Aに示すライン時間60eディスプレイ配置を最終的にもたらすことになる。図5A中の作動変調器は暗状態にあり、すなわち、その状態では、反射光の実質的部分が、たとえば、閲覧者に、暗い外観をもたらすように可視スペクトルの外にある。図5Aに示すフレームを書き込むより前に、ピクセルは任意の状態にあることがあるが、図5Bのタイミング図に示す書込みプロシージャは、各変調器が、第1のライン時間60aの前に、開放されており、非作動状態に属すると仮定する。
【００３６】
第1のライン時間60a中に、開放電圧70がコモンライン1上に印加され、コモンライン2上に印加される電圧が、高い保持電圧72において始まり、開放電圧70に移動し、低い保持電圧76がコモンライン3に沿って印加される。したがって、コモンライン1に沿った変調器(コモン1,セグメント1)、(1,2)および(1,3)は、第1のライン時間60aの持続時間の間、緩和または非作動状態にとどまり、コモンライン2に沿った変調器(2,1)、(2,2)および(2,3)は、緩和状態に移動することになり、コモンライン3に沿った変調器(3,1)、(3,2)および(3,3)は、それらの前の状態にとどまることになる。図4を参照すると、コモンライン1、2または3のいずれも、ライン時間60a中に作動を引き起こす電圧レベルにさらされていないので(すなわち、VCREL-緩和、およびVCHOLD_L-安定)、セグメントライン1、2および3に沿って印加されたセグメント電圧は、干渉変調器の状態に影響しないことになる。
【００３７】
第2のライン時間60b中に、コモンライン1上の電圧は高い保持電圧72に移動し、コモンライン1に沿ったすべての変調器は、アドレス指定または作動電圧がコモンライン1上に印加されなかったので、印加されたセグメント電圧にかかわらず、緩和状態にとどまる。コモンライン2に沿った変調器は、開放電圧70の印加により、緩和状態にとどまり、コモンライン3に沿った変調器(3,1)、(3,2)および(3,3)は、コモンライン3に沿った電圧が開放電圧70に移動するとき、緩和することになる。
【００３８】
第3のライン時間60c中に、コモンライン1は、コモンライン1上に高いアドレス電圧74を印加することによってアドレス指定される。このアドレス電圧の印加中に低いセグメント電圧64がセグメントライン1および2に沿って印加されるので、変調器(1,1)および(1,2)の両端間のピクセル電圧は変調器の正の安定性ウィンドウの上端よりも大きく(すなわち、電圧差は、あらかじめ定義されたしきい値を超えた)、変調器(1,1)および(1,2)は作動される。逆に、高いセグメント電圧62がセグメントライン3に沿って印加されるので、変調器(1,3)の両端間のピクセル電圧は、変調器(1,1)および(1,2)のピクセル電圧よりも小さく、変調器の正の安定性ウィンドウ内にとどまり、したがって変調器(1,3)は緩和したままである。また、ライン時間60c中に、コモンライン2に沿った電圧は低い保持電圧76に減少し、コモンライン3に沿った電圧は開放電圧70にとどまり、コモンライン2および3に沿った変調器を緩和位置のままにする。
【００３９】
第4のライン時間60d中に、コモンライン1上の電圧は、高い保持電圧72に戻り、コモンライン1に沿った変調器を、それらのそれぞれのアドレス指定された状態のままにする。コモンライン2上の電圧は低いアドレス電圧78に減少される。高いセグメント電圧62がセグメントライン2に沿って印加されるので、変調器(2,2)の両端間のピクセル電圧は、変調器の負の安定性ウィンドウの下側端部(lower end)を下回り、変調器(2,2)が作動することを引き起こす。逆に、低いセグメント電圧64がセグメントライン1および3に沿って印加されるので、変調器(2,1)および(2,3)は緩和位置にとどまる。コモンライン3上の電圧は、高い保持電圧72に増加し、コモンライン3に沿った変調器を緩和状態のままにする。
【００４０】
最後に、第5のライン時間60e中に、コモンライン1上の電圧は高い保持電圧72にとどまり、コモンライン2上の電圧は低い保持電圧76にとどまり、コモンライン1および2に沿った変調器を、それらのそれぞれのアドレス指定された状態のままにする。コモンライン3上の電圧は、コモンライン3に沿った変調器をアドレス指定するために、高いアドレス電圧74に増加する。低いセグメント電圧64がセグメントライン2および3上に印加されるので、変調器(3,2)および(3,3)は作動するが、セグメントライン1に沿って印加された高いセグメント電圧62は、変調器(3,1)が緩和位置にとどまることを引き起こす。したがって、第5のライン時間60eの終わりに、3×3ピクセルアレイは、図5Aに示す状態にあり、他のコモンライン(図示せず)に沿った変調器がアドレス指定されているときに起こり得るセグメント電圧の変動にかかわらず、保持電圧がコモンラインに沿って印加される限り、その状態にとどまることになる。
【００４１】
図5Bのタイミング図では、所与の書込みプロシージャ(すなわち、ライン時間60a〜60e)は、高い保持およびアドレス電圧、または低い保持およびアドレス電圧のいずれかの使用を含むことができる。書込みプロシージャが所与のコモンラインについて完了されると(また、コモン電圧が、作動電圧と同じ極性を有する保持電圧に設定されると)、ピクセル電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、ライン時間を決定し得る。詳細には、変調器の開放時間が作動時間よりも大きい実施態様では、開放電圧は、図5Bに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００４２】
上記に記載した原理に従って動作する干渉変調器の構造の詳細は大きく異なり得る。たとえば、図6Aから図6Eは、可動反射層14とそれの支持構造とを含む、干渉変調器の異なる実施態様の断面図の例を示している。図6Aは、金属材料のストリップ、すなわち、可動反射層14が、基板20から直角に延在する支持体18上に堆積される、図1の干渉変調器ディスプレイの部分断面図の一例を示している。図6Bでは、各IMODの可動反射層14は、概して形状が正方形または長方形であり、コーナーにおいてまたはその近くでテザー32に接して支持体に取り付けられる。図6Cでは、可動反射層14は、概して形状が正方形または長方形であり、フレキシブルな金属を含み得る変形可能層34から吊るされる。変形可能層34は、可動反射層14の外周の周りで基板20に直接または間接的に接続することがある。これらの接続は、本明細書では支持ポストと呼ばれる。図6Cに示す実施態様は、変形可能層34によって行われる可動反射層14の機械的機能からのそれの光学的機能の分離から派生する追加の利益を有する。この分離は、反射層14のために使用される構造設計および材料と、変形可能層34のために使用される構造設計および材料とが、互いとは無関係に最適化されることを可能にする。
【００４３】
図6Dは、可動反射層14が反射副層(reflective sub-layer)14aを含む、IMODの別の例を示している。可動反射層14は、支持ポスト18などの支持構造上に載る。支持ポスト18は、たとえば、可動反射層14が緩和位置にあるとき、可動反射層14と光学スタック16との間にギャップ19が形成されるように、下側静止電極(すなわち、図示のIMODにおける光学スタック16の一部)からの可動反射層14の分離を可能にする。可動反射層14は、電極として働くように構成され得る伝導性層14cと、支持層14bとをも含むことができる。この例では、伝導性層14cは、基板20から遠位にある支持層14bの一方の面に配設され、反射副層14aは、基板20の近位にある支持層14bの他方の面に配設される。いくつかの実施態様では、反射副層14aは、伝導性であることがあり、支持層14bと光学スタック16との間に配設され得る。支持層14bは、誘電材料、たとえば、酸窒化ケイ素(SiON)または二酸化ケイ素(SiO2)の、1つまたは複数の層を含むことができる。いくつかの実施態様では、支持層14bは、たとえば、SiO2/SiON/SiO23層スタックなど、複数の層のスタックであり得る。反射副層14aと伝導性層14cのいずれかまたは両方は、たとえば、約0.5%の銅(Cu)または別の反射金属材料を用いた、アルミニウム(Al)合金を含むことができる。誘電支持層14bの上および下で伝導性層14a、14cを採用することは、応力のバランスをとり、伝導の向上を与えることができる。いくつかの実施態様では、反射副層14aおよび伝導性層14cは、可動反射層14内の特定の応力プロファイルを達成することなど、様々な設計目的で、異なる材料から形成され得る。
【００４４】
図6Dに示すように、いくつかの実施態様はブラックマスク構造23をも含むことができる。ブラックマスク構造23は、周辺光または迷光を吸収するために、(ピクセル間にまたはポスト18の下になど)光学不活性領域において形成され得る。ブラックマスク構造23はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造23は、伝導性であり、電気的バス層として機能するように構成され得る。いくつかの実施態様では、行電極は、接続された行電極の抵抗を低減するために、ブラックマスク構造23に接続され得る。ブラックマスク構造23は、堆積およびパターニング技法を含む様々な方法を使用して形成され得る。ブラックマスク構造23は1つまたは複数の層を含むことができる。たとえば、いくつかの実施態様では、ブラックマスク構造23は、それぞれ、約30〜80Å、500〜1000Å、および500〜6000Åの範囲内の厚さをもつ、光吸収体として働くモリブデンクロム(MoCr)層と、反射体として働くアルミニウム合金層と、バス層とを含む。1つまたは複数の層は、たとえば、MoCr層およびSiO2層の場合は、四フッ化炭素(CF4)および/または酸素(O2)、ならびにアルミニウム合金層の場合は、塩素(Cl2)および/または三塩化ホウ素(BCl3)を含む、フォトリソグラフィおよびドライエッチングを含む、様々な技法を使用してパターニングされ得る。いくつかの実施態様では、ブラックマスク23はエタロンまたは干渉スタック構造であり得る。そのような干渉スタックブラックマスク構造23では、伝導性吸収体は、各行または列の光学スタック16における下側静止電極間で信号を送信するかまたは信号をバスで運ぶために使用され得る。いくつかの実施態様では、スペーサ層35が、ブラックマスク23中の伝導性層から吸収層16aを概して電気的に絶縁するのに、役立つことができる。
【００４５】
図6Eは、可動反射層14が自立している、IMODの別の例を示している。図6Dとは対照的に、図6Eの実施態様は支持ポスト18を含まない。代わりに、可動反射層14は、複数のロケーションにおいて、下にある光学スタック16に接触し、可動反射層14の湾曲は、干渉変調器の両端間の電圧が作動を引き起こすには不十分であるとき、可動反射層14が図6Eの非作動位置に戻るという、十分な支持を与える。複数のいくつかの異なる層を含んでいることがある光学スタック16は、ここでは明快のために、光吸収体16aと誘電体16bとを含む状態で示されている。いくつかの実施態様では、光吸収体16aは、固定電極としても、部分反射層としても働き得る。いくつかの実施態様では、光吸収体16aは可動反射層14よりも1桁(10倍以上)薄い。いくつかの実施態様では、光吸収体16aは反射副層14aよりも薄い。
【００４６】
図6Aから図6Eに示す実施態様などの実施態様では、IMODは直視型デバイスとして機能し、直視型デバイスでは、画像が、透明基板20の正面、すなわち、変調器が配置された面の反対の面から、閲覧される。これらの実施態様では、デバイスの背面部分(すなわち、たとえば、図6Cに示す変形可能層34を含む、可動反射層14の背後のディスプレイデバイスの任意の部分)は、反射層14がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造(図示せず)が可動反射層14の背後に含まれ得、これは、電圧アドレス指定およびそのようなアドレス指定に起因する移動など、変調器の電気機械的特性から変調器の光学的特性を分離する能力を与える。さらに、図6Aから図6Eの実施態様は、たとえば、パターニングなどの処理を簡略化することができる。
【００４７】
図7は、干渉変調器のための製造プロセス80を示す流れ図の一例を示しており、図8Aから図8Eは、そのような製造プロセス80の対応する段階の断面概略図の例を示している。いくつかの実施態様では、製造プロセス80は、図1および図6に示した一般的なタイプの干渉変調器などの電気機械システムデバイスを製造するために実施され得る。電気機械システムデバイスの製造は、図7に示されていない他のブロックをも含むことができる。図1、図6および図7を参照すると、プロセス80はブロック82において開始し、基板20上への光学スタック16の形成を伴う。図8Aは、基板20上で形成されたそのような光学スタック16を示している。基板20は、ガラスまたはプラスチックなどの透明基板であり得、それは、フレキシブルであるかまたは比較的固く曲がらないことがあり、光学スタック16の効率的な形成を可能にするために、洗浄などの事前準備プロセスにかけられていることがある。上記で説明したように、光学スタック16は、電気伝導性であり、部分的に透明で、部分的に反射性であることがあり、たとえば、透明基板20上に、所望の特性を有する1つまたは複数の層を堆積させることによって、作製され得る。図8Aでは、光学スタック16は、副層16aおよび16bを有する多層構造を含むが、いくつかの他の実施態様では、より多いまたはより少ない副層が含まれ得る。いくつかの実施態様では、副層16a、16bのうちの1つは、組み合わせられた導体/吸収体副層16aなど、光吸収特性と電気伝導特性の両方で構成され得る。さらに、副層16a、16bのうちの1つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層16a、16bのうちの1つは、1つまたは複数の金属層(たとえば、1つまたは複数の反射層および/または伝導性層)上に堆積された副層16bなど、絶縁層または誘電体層であり得る。さらに、光学スタック16は、ディスプレイの行を形成する個々の平行ストリップにパターニングされ得る。図8Aから図8Eは、一定の縮尺で描かれていないことがあることに留意されたい。たとえば、図8Aから図
8Eでは、副層16a、16bはやや厚く示されているが、いくつかの実施態様では、光学スタックの副層のうちの1つである光吸収層は極めて薄いことがある。
【００４８】
プロセス80はブロック84において続き、光学スタック16上への犠牲層25の形成を伴う。犠牲層25は、キャビティ19を形成するために後で(ブロック90参照)除去され、したがって、犠牲層25は、図1に示した得られた干渉変調器12には示されていない。図8Bは、光学スタック16上で形成された犠牲層25を含む、部分的に作製されたデバイスを示している。光学スタック16上での犠牲層25の形成は、後続の除去後に、所望の設計サイズを有するギャップまたはキャビティ19(図1および図8Eも参照)を与えるように選択された厚さの、モリブデン(Mo)またはアモルファスシリコン(a-Si)など、フッ化キセノン(XeF2)エッチング可能材料の堆積を含み得る。犠牲材料の堆積は、物理蒸着(スパッタリングなど、多くの様々な技法を含むPVD)、プラズマ強化化学蒸着(PECVD)、熱化学蒸着(熱CVD)、またはスピンコーティングなど、堆積技法を使用して行われ得る。
【００４９】
プロセス80はブロック86において続き、図1、図6および図8Cに示すポスト18などの支持構造の形成を伴う。ポスト18の形成は、支持構造開口を形成するために犠牲層25をパターニングし、次いで、PVD、PECVD、熱CVD、またはスピンコーティングなど、堆積方法を使用して、ポスト18を形成するために開口中に材料(ポリマー、または酸化ケイ素などの無機材料など)を堆積させることを含み得る。いくつかの実施態様では、犠牲層中に形成された支持構造開口は、ポスト18の下側端部が図6Aに示すように基板20に接触するように、犠牲層25と光学スタック16の両方を通って、下にある基板20まで延在することがある。代替的に、図8Cに示すように、犠牲層25中に形成された開口は、犠牲層25は通るが、光学スタック16は通らないで、延在することがある。たとえば、図8Eは、光学スタック16の上側表面(upper surface)と接触している支持ポスト18の下側端部を示している。ポスト18、または他の支持構造は、犠牲層25上に支持構造材料の層を堆積させること、および犠牲層25中の開口から離れて配置された支持構造材料の部分をパターニングすることによって形成され得る。支持構造は、図8Cに示すように開口内に配置され得るが、少なくとも部分的に、犠牲層25の一部分の上で延在することもある。上述のように、犠牲層25および/または支持ポスト18のパターニングは、パターニングおよびエッチングプロセスによって実行され得るが、代替エッチング方法によっても実行され得る。
【００５０】
プロセス80はブロック88において続き、図1、図6および図8Dに示す可動反射層14などの可動反射層または膜の形成を伴う。可動反射層14は、1つまたは複数のパターニング、マスキング、および/またはエッチングステップとともに、たとえば、反射層(アルミニウム、アルミニウム合金、または他の反射層など)堆積を含む1つまたは複数の堆積ステップを採用することによって、形成され得る。可動反射層14は、電気伝導性であり、電気伝導性層(electrically conductive layer)と呼ばれることがある。いくつかの実施態様では、可動反射層14は、図8Dに示すように複数の副層14a、14b、14cを含み得る。いくつかの実施態様では、副層14a、14cなど、副層のうちの1つまたは複数は、それらの光学的特性のために選択された高反射性副層を含み得、別の副層14bは、それの機械的特性のために選択された機械的副層を含み得る。犠牲層25は、ブロック88において形成された部分的に作製された干渉変調器中に依然として存在するので、可動反射層14は、一般にこの段階では可動でない。犠牲層25を含んでいる部分的に作製されたIMODは、本明細書では「非開放」IMODと呼ばれることもある。図1に関して上記で説明したように、可動反射層14は、ディスプレイの列を形成する個々の平行ストリップにパターニングされ得る。
【００５１】
プロセス80はブロック90において続き、図1、図6および図8Eに示すキャビティ19などのキャビティの形成を伴う。キャビティ19は、(ブロック84において堆積された)犠牲材料25をエッチャントにさらすことによって形成され得る。たとえば、MoまたはアモルファスSiなどのエッチング可能犠牲材料が、ドライ化学エッチングによって、所望の量の材料を除去するのに有効である期間の間、固体XeF2から派生した蒸気などの気体または蒸気エッチャントに犠牲層25をさらすことによって、除去され得る。犠牲材料は、一般に、キャビティ19を囲む構造に対して選択的に除去される。ウェットエッチングおよび/またはプラズマエッチングなどの他のエッチング方法も使用され得る。犠牲層25がブロック90中に除去されるので、可動反射層14は、一般に、この段階後に可動となる。犠牲材料25の除去後に、得られた完全にまたは部分的に作製されたIMODは、本明細書では「開放」IMODと呼ばれることがある。
【００５２】
ディスプレイ内で使用されるいくつかのピクセル配列は、赤/緑/青の3×3マトリックスのストライプおよび最上位ビット/最下位ビット(MSB/LSB)のデータラインとして構成される。そのような配列は、ディスプレイに対して、最小ピクセル寸法、したがって最大の達成可能なピクセルパーインチ(PPI)に限界を設けることがある。たとえば、いくつかの実施態様では、実際の作動電圧Vactuation<20Vに対して、ディスプレイ要素ミラーサイズは、物理的に約35〜40μmに制限される。これは、パネルの解像度を約211〜241 PPIに制約する。この課題に対処するいくつかの実施態様では、ピクセル構成(またはモザイク)は、(3×3構成の代わりに)2×2構成に配列され得る。そのような構成は、ディスプレイパネル解像度を314〜362 PPIの範囲に高めるために使用され得る。
【００５３】
図9〜図20は、より高い解像度の電子デバイス、たとえばスマートフォンおよびタブレットコンピュータの要件を満たすことができる干渉変調器デバイスのピクセルモザイクの空間構成について説明する。そのようなデバイスは、情報を十分に表示するためにより高い解像度のディスプレイを必要とすることがある。いくつかのデバイスでは、3.5〜4インチ対角のディスプレイに対して、HD720およびWXGAの解像度が標準である。説明するピクセル構成は、そのような解像度を達成するために使用され得る。ピクセル構成は、3原色の赤、緑および青(「R/G/B」または「RGB」)を作成することができるピクセルを有することに関して説明されるが、4色、たとえば赤、緑、青および黄(「R/G/B/Y」または「RGBY」)を使用する他のピクセル構成もまた可能である。本明細書で説明するピクセルの実施態様は、正方形のピクセル構成を有し、ミラーサイズは約35〜40μmであってよいが、ピクセルの他の形状およびサイズも使用され得る。また、そのようなピクセル配列は、干渉ディスプレイ要素以外のディスプレイ要素に対しても使用され得る。加えて、ディスプレイ要素およびピクセルの配列はまた、パッシブマトリックスディスプレイおよびアクティブマトリックスディスプレイにも使用され得る。本明細書で使用するアクティブマトリックスディスプレイは、各ディスプレイ要素(またはピクセルもしくはサブピクセル)が各ディスプレイ要素を制御するために切り替え可能要素を有するディスプレイに言及する広い用語である。本明細書で使用するパッシブマトリックスディスプレイは、各ディスプレイ要素が切り替え可能な制御要素を持たないディスプレイに言及する広い用語である。本明細書で説明する実施態様に関連して説明する特徴は、それらの特徴が特定の実施態様の各々に対して再度繰り返されないことがあるとしても、他の実施態様に同様に含まれ得る。
【００５４】
図9は、トライアッド構成に配列されたディスプレイ要素を有する、ディスプレイ900の一部分におけるピクセルを表す平面図の一例を示す。赤、緑および青のディスプレイ要素は、ディスプレイ900において、それぞれ「R」、「G」および「B」で示される。ディスプレイ900は、各ピクセルが3つのディスプレイ要素を有する複数のピクセルを含む。たとえば、ディスプレイ900の代表的なピクセル902は、赤のディスプレイ要素904と、赤のディスプレイ要素904と側辺上で隣接して配列された青のディスプレイ要素906と、赤のディスプレイ要素904と側辺上で隣接しかつ青のディスプレイ要素906と対角線上で隣接して配列された緑のディスプレイ要素908とを含み、「90度の角度の」トライアッドピクセル902を形成する。本明細書で使用する、側辺上での隣接は、1つのディスプレイ要素の側辺が別のディスプレイ要素の側辺に隣接して配設される配列に言及する。言い換えれば、1つのディスプレイ要素が、別のディスプレイ要素の横に隣接して配列され、対角線上で隣接して配設されない場合である。ディスプレイ900の別の代表的なピクセル912は、赤のディスプレイ要素914と、赤のディスプレイ要素914と側辺上で隣接して配列された青のディスプレイ要素916と、青のディスプレイ要素916と側辺上で隣接しかつ赤のディスプレイ要素914と対角線上で隣接して配列された緑のディスプレイ要素918とを含み、「90度の角度の」トライアッドピクセル912を同様に形成する。この実施態様では、2つの隣接するピクセル902および912は、それらが2×3ピクセルディスプレイ要素を有する長方形を形成するような方法で組み合わされる。したがって、2つのピクセルが、トライアッド構成の2×3配列を有する長方形を形成し得る場合、単一のピクセルは、2×1.5配列を有するものと見なされ得る。
【００５５】
図9に示す実施態様では、緑のディスプレイ要素の数は、赤および/または青のディスプレイ要素の数に等しい。しかしながら、いくつかの実施態様では、緑のディスプレイ要素の数は、赤および/または青のディスプレイ要素の数よりも大きいことがある。たとえば、ディスプレイデバイスの空間構成のいくつかの実施態様は、ピクセル内のその他のディスプレイ要素と同じサイズの、2つの等しいサイズの緑のディスプレイ要素(たとえば、IMODディスプレイ要素のミラー)を有するピクセルを有するディスプレイデバイスを含む。IMODのそのような実施態様は、最大の達成可能なフィルファクタ(fill factor)を有する緑のミラーを有し、このことで、縮小されたサイズの緑のディスプレイ要素/ミラーを有する構成よりも大きい緑の面積に起因して、より高い明度がもたらされ得る。2つの大きい緑のディスプレイ要素を有するIMOD実施態様はまた、より小さいアクティブな、または色に貢献する(color contributing)表面積を有するように構成されたディスプレイ要素のいずれか一方または両方を用いる実施態様よりも目につきやすいディザアーティファクト(dither artifact)を有することがある。赤および/または青と同じ作動面積を有する緑のディスプレイ要素を有する1つの利点は、緑のディスプレイ要素の作動面積を縮小するために緑のディスプレイ要素の一部がブラックマスクされる実施態様よりも、全体的表示が明るくなることである。しかしながら、ピクセルによってもたらされたRGB光の組合せである、望ましいまたは標準化された白色点は、緑の全面積が赤または青のいずれかのディスプレイ要素よりも大きいので、達成するのがより困難であり得る。
【００５６】
図10は、各ピクセルが、クワッド構成に配列されたディスプレイ要素を有する、ディスプレイ1000の一部分におけるピクセルを表す平面図の一例を示す。赤、緑および青のディスプレイ要素は、ディスプレイ1000において、それぞれ「R」、「G」および「B」で示される。ピクセル1002および1012は、ディスプレイ1000の代表的なピクセルである。ピクセル1002は、赤のディスプレイ要素1004と、赤のディスプレイ要素1004に対して側辺上で配設された青のディスプレイ要素1006と、互いに側辺上で隣接して配設された2つの緑のディスプレイ要素1008および1010とを有する。緑のディスプレイ要素1008はまた、赤のディスプレイ要素1004と側辺上で隣接しかつ青のディスプレイ要素1006と対角線上で隣接して配設される。緑のディスプレイ要素1010は、青のディスプレイ要素1006と側辺上で隣接しかつ赤のディスプレイ要素1004と対角線上で隣接して配設される。ピクセル1012は、赤のディスプレイ要素1014と、赤のディスプレイ要素1014に対して側辺上で配設された青のディスプレイ要素1016と、互いに側辺上で隣接して配設された2つの緑のディスプレイ要素1018および1020とを有する。緑のディスプレイ要素1020はまた、赤のディスプレイ要素1014と側辺上で隣接しかつ青のディスプレイ要素1016と対角線上で隣接して配設される。緑のディスプレイ要素1018はまた、青のディスプレイ要素1016と側辺上で隣接しかつ赤のディスプレイ要素1014と対角線上で隣接して配設される。図示の実施態様では、ディスプレイ1000のディスプレイ要素のすべては同じサイズである。
【００５７】
図10に示すように、緑のディスプレイ要素1008および1010は等しいサイズであり、赤のディスプレイ要素1004および青のディスプレイ要素1006のサイズに等しい。本明細書で説明するそのような実施態様では、そのようなピクセルは、最大の達成可能なフィルファクタを有し得、比較的大きいパーセンテージ(50%)の緑のディスプレイ要素の表示面積に起因してより高い明度を有し得る。また、より高い明度レベルは、各ピクセルのより大きいパーセンテージの緑のディスプレイ要素の表示面積に起因して達成され得る。そのようなピクセル配列では、各ピクセルにおける2つの緑のディスプレイ要素に対して同じVactuationが使用され得る。場合によっては、この構成の場合、各ピクセルの全体的に比較的大きいパーセンテージの緑の表示面積に起因して、(R/G/Bの組合せである)白色点は、達成がより困難となることがある。
【００５８】
図10のピクセル配列では、2つの隣接ピクセルの緑のディスプレイ要素の位置は、それらが共に沿って整列して緑のディスプレイ要素の二重ストライプを形成するように入れ替えられる。言い換えれば、ピクセル1002の緑のディスプレイ要素1008および1010は、ピクセル1012の緑のディスプレイ要素1018および1020に隣接して配設される。この配列の1つの利点は、ピクセル1002の緑のディスプレイ要素1008および1010およびピクセル1012の緑のディスプレイ要素1018および1020は、両方とも、異なるピクセルの緑のディスプレイ要素の行が隣接していない設計におけるよりも容易に単一のCOM(または駆動)ラインを用いてアドレス指定され得ることである。この配列の別の利点は、3色R/G/Bの各々に対するディスプレイ要素の行が、特定の所与の色への個別のCOMラインに接続され得ることである。赤色および青色のディスプレイ要素が、異なる電圧で駆動されてもよいことに留意されたい。このことは、図19Bおよび図19Cに関してさらに説明する。いくつかのそのような実施態様では、駆動ラインは、単層ブラックマスクルーティングを通して接続される。
【００５９】
ディスプレイデバイスの空間構成のいくつかの実施態様は、バイナリ重み付けミラーを有するピクセルを有するディスプレイデバイスを含む。そのような実施態様では、2つの緑のディスプレイ要素の被変調面積またはフィルファクタ(また時々、可動反射層または単に「ミラー」とも呼ばれる)は、約2:1の比を有し得、その差は、緑のディスプレイ要素(すなわち、サブピクセル)のうちの1つまたは2つにおいてブラックマスク面積を調整することによって達成される。たとえば、ピクセルが2つの緑のディスプレイ要素を有する場合、第1の緑のディスプレイ要素が、実質的に赤および青のディスプレイ要素と同じサイズである一方で、第2の緑のディスプレイ要素が、第1の緑のディスプレイ要素のサイズの何分の1かになり得、たとえばバイナリ重み付けの実施態様では、第2の緑のディスプレイ要素のサイズは、第1の緑のディスプレイ要素のサイズの約半分になり得る。ミラーが等しいフィルファクタを有する場合、この実施態様は、3つの利用可能な階調レベルではなく4つの階調レベルが緑において表示されることを可能にする。これらの実施態様は、緑のミラーのより低いフィルファクタに起因してより低い明度を有することがあるが、ディスプレイの明度は、実質的に影響を受けない。加えて、そのような構成は、他の構成と比較すると、最小数のディザアーティファクトを発生する。これは、ディザアーティファクトが最小ミラーサイズに依存し得るからであり、したがって、半分の緑のミラーは、より目につきにくいディザアーティファクトを有する。そのような構成では、両方の緑のディスプレイ要素のサイズが互いに等しく、かつ赤および青のディスプレイ要素の一方、他方、または両方と等しい設計と比較すると、白色点は、RGBディスプレイ要素から反射した光を組み合わせることによってより容易に達成される。所望の白色点までの「距離」は、赤のミラーおよび青のミラーのサイズに対する2つの緑のミラーの全面積によって制御され得る。良好な白色点に寄与するファクタには、所与のピクセル内の赤および青の作動面積と比較される緑の全作動面積の相対的サイズが含まれる。各ピクセルが2つの緑と、1つだけの赤および/または青を有する実施態様では、白色点を調整することは、緑のディスプレイ要素の一方または両方のサイズを調整することを含み得る。しかしながら、一方または両方のディスプレイ要素の一部をマスクすることによって、緑のディスプレイ要素の一方または両方のサイズを縮小することは、ディスプレイの総合的明度をより低くする結果をもたらすことがある。いくつかの実施態様では、異なる緑のディスプレイ要素に対する異なるサイズの作動面積は、比較的大きいミラーの緑のディスプレイ要素と比較的小さいミラーの緑のディスプレイ要素とが、異なる作動電圧を有することを意味することがある。図11および図13に、所与のピクセル内の一方の緑のディスプレイ要素が、他方の緑のディスプレイ要素よりも小さい2つの例を示す。
【００６０】
図11は、各ピクセルがクワッド構成に配列されたディスプレイ要素を有し、緑の光を反射するためのディスプレイ要素が別の緑のディスプレイ要素の作動面積よりも小さい作動面積を有する、ディスプレイ1100の一部分におけるピクセルを表す平面図の一例を示す。赤、緑および青のディスプレイ要素は、ディスプレイ1100において、それぞれ「R」、「G」および「B」で示される。ディスプレイ1100は、ディスプレイ1100におけるピクセルおよびディスプレイ要素の配列の代表であるピクセル1102および1112を含めて、複数のピクセルを含む。ピクセル1102は、赤のディスプレイ要素1104と、赤のディスプレイ要素1104と側辺上で隣接して配設された青のディスプレイ要素1106と、赤のディスプレイ要素1104と側辺上で隣接しかつ青のディスプレイ要素1106と対角線上で隣接して配設された第1の緑のディスプレイ要素1105とを含む。
【００６１】
赤、緑および青のディスプレイ要素1104、1105および1106の表示面積(すなわち、「作動面積」)は、正方形として構成され、同じサイズである。ピクセル1102はまた、青のディスプレイ要素1106および第1の緑のディスプレイ要素1105と側辺上で隣接しかつ赤のディスプレイ要素1104と対角線上で隣接して配設された第2の緑のディスプレイ要素1107を含む。第2の緑のディスプレイ要素1107の作動面積は、赤、緑および青のディスプレイ要素1104、1105および1106よりも小さい。いくつかの実施態様では、第2の緑のディスプレイ要素は、ピクセル1102内の他方のディスプレイ要素と同じサイズであるが、暗くまたは黒く見えるように構成され得るマスク部分1108を含み、それにより第2のディスプレイ要素1107の作動面積が縮小される。いくつかの実施態様では、第2の緑のディスプレイ要素1107は、より小さいディスプレイ要素として製作される。図11に示すものを含めていくつかの実施態様では、第2の緑のディスプレイ要素1107の作動面積は、赤、緑および青のディスプレイ要素1104、1105および1106のサイズの半分である。図示の緑のディスプレイ要素1107および1117は長方形であるが、正方形であってもよい。
【００６２】
ピクセル1112は、ディスプレイ要素の類似の配列を有し、ピクセル1102に対して反転するように配向される。したがって、ピクセル1102の第1および第2の緑のディスプレイ要素1105および1107と、第1のおよび第2の緑のディスプレイ要素1115および1117とは隣接しており、一緒に緑のディスプレイ要素の二重ストライプを形成する。この配列の1つの利点は、赤、緑および青のディスプレイ要素が、それぞれ、各色に対する専用のCOMラインに接続され得ることである。というのは、各色を駆動するのに必要な電圧が異なることがあり、単色のディスプレイ要素を1つのCOMラインとともに駆動することが有用であるからである。このことについて、図19および図20に関してさらに説明する。具体的には、ピクセル1112は、青のディスプレイ要素1116と、青のディスプレイ要素1116と側辺上で隣接して配設された赤のディスプレイ要素1114と、青のディスプレイ要素1116と側辺上で隣接しかつ赤のディスプレイ要素1114と対角線上で隣接して配設された第1の緑のディスプレイ要素1115とを含む。
【００６３】
この実施態様では、赤、緑および青のディスプレイ要素1114、1115および1116の表示面積(すなわち、「作動面積」)は正方形として構成され、同じサイズである。ピクセル1112はまた、赤のディスプレイ要素1114および第1の緑のディスプレイ要素1115と側辺上で隣接しかつ青のディスプレイ要素1116と対角線上で隣接して配設される第2の緑のディスプレイ要素1117を含む。第2の緑のディスプレイ要素1117の作動面積は、赤、緑および青のディスプレイ要素1114、1115および1116よりも小さい。いくつかの実施態様では、第2の緑のディスプレイ要素は、ピクセル1112内の他方のディスプレイ要素と同じサイズであるが、暗くまたは黒く見えるように構成され得るマスク部分1118を含み、それにより第2のディスプレイ要素1117の作動面積が縮小される。いくつかの実施態様では、第2の緑のディスプレイ要素1117は、より小さいディスプレイ要素として製作される。図11に示すものを含めていくつかの実施態様では、第2の緑のディスプレイ要素1117の作動面積は、赤、緑および青のディスプレイ要素1114、1115および1116のサイズの半分であり、同様に長方形の形状である。ピクセル1112の第1の緑のディスプレイ要素1115は、ピクセル1112の第1の緑のディスプレイ要素1105と隣接して配設され、ピクセル1112のマスク部分1118は、ピクセル1102のマスク部分1108と側辺上で隣接して配設される。
【００６４】
図11に示す実施態様では、ピクセル1102に対して、緑のディスプレイ要素1107の作動面積と、緑のディスプレイ要素1105、赤のディスプレイ要素1104および青のディスプレイ要素1106の作動面積の各々との比は、約1:2であり得る。いくつかの実施態様では、ディスプレイ要素の作動面積間の差は、より小さい作動面積のディスプレイ要素の作動面積の一部分をマスクするために緑のディスプレイ要素1107上にブラックマスクを使用することによって達成され得る。このことで、緑のディスプレイ要素1105および1107が等しい作動面積を有する場合の3つの照度(illumination)レベルとは異なり、緑のディスプレイ要素1105および1107によって4つの照度レベルを表示することが可能になる。たとえば、4つの照度レベルは、ゼロG、1/2G、Gおよび1 1/2Gとして記述され得る。そのような構成では、ディスプレイ1100の各ピクセル1102は、両方の緑のディスプレイ要素が赤および青のディスプレイ要素と等しいディスプレイと比較すると、ディスプレイ要素1104、1106、1105および1107のより小さい全作動面積に起因して、より低い最大明度を与える。しかしながら、そのような実施態様はまた、より目につきにくい緑のディザアーティファクトを生成し得、それはそのようなアーティファクトは最小作動面積のサイズに関係するからである。加えて、白色点は、赤、緑および青のディスプレイ要素を組み合わせることによって、すべてが等しい数およびサイズである赤、緑および青のディスプレイ要素を組み合わせることと比較すると、より容易に達成され得る。いくつかの実施態様では、第1の緑のディスプレイ要素(緑のディスプレイ要素1105など)と第2の緑のディスプレイ要素(緑のディスプレイ要素1107など)との作動面積の比は、1:1と2:1との間に及ぶ。ピクセル1102のより小さい緑のディスプレイ要素1107がピクセル1112のより小さい緑のディスプレイ要素1117と側辺上で隣接しているように示されているが、たとえば、緑のディスプレイ要素1115と緑のディスプレイ要素1117とが入れ替えられてもよいことを理解されたい。そのような実施態様では、ピクセル1102のより小さい緑のディスプレイ要素1107は、ピクセル1112のより小さい緑のディスプレイ要素1117と対角線上で隣接する。
【００６５】
白色点までの距離は、2つの緑のミラーの全面積によって制御され得る。たとえば、図9のトライアッド実施態様では、赤、緑および青のディスプレイ要素のすべてが等しいサイズである実施態様において、緑は、全ピクセル面積の約1/3(33%)をカバーする。1ピクセルが2つ以上の緑のディスプレイ要素を有し、および/または1つまたは複数の緑のディスプレイ要素が、赤および青のディスプレイ要素の一方のサイズと異なる、たとえばより小さいサイズを有する図11のような実施態様では、所与のピクセル内の全ディスプレイ要素の全作動面積と比較した緑の作動面積のパーセンテージは、33%〜45%、たとえば33%〜40%に及ぶことがある。ディスプレイ1100の明度は、より小さい第2の緑のディスプレイ要素1107を有するピクセルの使用によって影響され得る。しかしながら、第1の緑のディスプレイ要素の作動面積と第2の緑のディスプレイ要素の作動面積との比が1:1と2:1との間に及ぶ場合、および所与のピクセルの全作動面積と比較した緑のディスプレイ要素の全作動面積が33%と45%との間である場合、明度の低下は、(緑の要素の全作動面積が、赤および青のディスプレイ要素の各々の作動面積と実質的に同じサイズであるディスプレイと比較するとき)ディザの可視性の改善および/または白色点の改善に値する。緑のディスプレイ要素のサイズを選択することは、明度と白色点との間のトレードオフとして特徴付けられ得る。2つの等しいサイズの緑のディスプレイ要素の場合、より高い明度が得られるが、作製される「白」色は、あまりに緑がかった色合いであるように知覚されることがある。緑のディスプレイ要素の全作動面積がピクセルの全作動面積の半分未満であるとき、「より良好な」(言い換えれば、より「白い」)白色点が達成され得るが、反射される光は、2つの同じサイズの緑を有する配列よりは、わずかに明るくない。
【００６６】
いくつかの実施態様では、第1および第2の緑のディスプレイ要素1105および1107は、異なる作動電圧を有する。しかしながら、第1および第2の緑のディスプレイ要素1105および1107は同じサイズであるが、第2のディスプレイ要素1107がブラックマスクによってマスクされているために異なる作動面積を有する実施態様では、作動電圧は同じであってよい。
【００６７】
図12は、各ピクセルが、2×2クワッド構成に配列された1つの赤と、1つの青と、2つの緑とのディスプレイ要素を有し、各ピクセルの2つの緑のディスプレイ要素が互いに対角線上に整列される、ディスプレイ1200の一部分におけるピクセルを表すディスプレイ1200の平面図の別の例を示す。赤、緑および青のディスプレイ要素は、ディスプレイ1200において、それぞれ「R」、「G」および「B」で示される。ディスプレイ1200では、ピクセル内のディスプレイ要素の配列は、隣接する行内のピクセルに対して異なる(ここで「行」は、図12に関して水平方向に沿って配列されるピクセルを指すために使用される)。たとえば、ピクセル1202は、ディスプレイ要素の第1の行がRおよびGであり、ディスプレイ要素の第2の行がGおよびBである(すなわち、ディスプレイ要素が2つの行の中で左から右にR、G、GおよびBに配列されている)ディスプレイ要素の2×2配列を含む。(図12の配向に対して)ピクセル1202に隣接してその下に配設されたピクセル1212は、ディスプレイ要素の第1の行がBおよびGであり、ディスプレイ要素の第2の行がGおよびRである(すなわち、ディスプレイ要素が2つの行の中で左から右にB、G、GおよびRに配列されている)ディスプレイ要素の2×2配列を含む。たとえば、そのようなジグザグ配置のクワッド構成では、赤および青のディスプレイ要素が、列に沿って隣接するピクセル内で入れ替えられるので、単一行のCOM駆動ライン(または電極)を使用して単色のピクセルの直線的アドレッシング(straightforward addressing)が可能になる。たとえば、ピクセル1202内の緑のディスプレイ要素が、緑のディスプレイ要素1205と1207との間に配設された単一COMラインに容易に接続され得る。同様に、ピクセル1202および1212からの青のディスプレイ要素が、青のディスプレイ要素1206と1216との間に配設された単一COMラインに容易に接続され得る。また、ピクセル1212および1222からの赤のディスプレイ要素が、赤のディスプレイ要素1214と1224との間に配設された単一COMラインに接続され得る。このようにして、ディスプレイの全行にわたって延在する単一COMラインは、ディスプレイ要素は、COMラインの両側をラインを横切って移動しながらジグザグに進む、同じ色のディスプレイ要素に接続され得る。そのような構成では、ディスプレイ1200内のディスプレイ要素の色は、ディスプレイの行に沿ったジグザグパターンを形成する。
【００６８】
ディスプレイ1200は、(代表的な)ピクセル1202と1212とを含む。ピクセル1202は、赤のディスプレイ要素1204と、赤のディスプレイ要素1204と側辺上で隣接して配設された2つの緑のディスプレイ要素1205および1207と、2つの緑のディスプレイ要素1205および1207と側辺上で隣接しかつ赤のディスプレイ要素1204と対角線上で隣接して配設された青のディスプレイ要素1206とを含む。図示のディスプレイ要素1204、1205、1206および1207は、同じサイズの作動面積を有する。ピクセル1212は、赤のディスプレイ要素1214と、赤のディスプレイ要素1214と側辺上で隣接して配設された2つの緑のディスプレイ要素1215および1217と、2つの緑のディスプレイ要素1215および1217と側辺上で隣接しかつ赤のディスプレイ要素1214と対角線上で隣接して配設された青のディスプレイ要素1216とを含む。言い換えれば、ディスプレイの1つの方向(この実施態様では、図12の配向に関して垂直の向き)に沿った隣接ピクセルにおいて、ピクセル内の赤および青のディスプレイ要素の位置がスワップされる。そのような実施態様では、上記で説明したように、ディスプレイ要素のすべては、特定の色に対して個別の、専用のCOM(駆動)ラインによって駆動され得る。そのようなピクセル構成はまた、マルチラインアドレッシング(multi-line addressing)をサポートする。
【００６９】
図12に示すように、緑のディスプレイ要素は等しいサイズであり、赤のディスプレイ要素1202および青のディスプレイ要素1206のサイズに等しい。このことが、比較的大きいパーセンテージ(50%)の緑のディスプレイ要素の表示面積に起因して、最大の達成可能なフィルファクタと、より高い明度とを、ディスプレイ1200のピクセルが有することを可能にする。また、より高い明度レベルは、各ピクセルのより大きいパーセンテージの緑のディスプレイ要素の表示面積に起因して達成され得る。そのようなピクセル配列では、各ピクセルにおける2つの緑のディスプレイ要素に対して同じVactuationが使用され得る。場合によっては、この構成の場合、各ピクセルの比較的大きいパーセンテージの緑の全表示面積に起因して、(R/G/Bの組合せである)白色点は、達成がより困難となることがある。
【００７０】
図13は、各ピクセルが図12に示すディスプレイ1200に類似するクワッド構成に配列されたディスプレイ要素を有し、各ピクセルがピクセル内の別の緑のディスプレイ要素の作動面積よりも小さい作動面積を有する緑の光を反射するためのディスプレイ要素を含む、ディスプレイ1300の一部分におけるピクセルを表す平面図の別の例を示す。赤、緑および青のディスプレイ要素は、ディスプレイ1300において、それぞれ「R」、「G」および「B」で示される。
【００７１】
ディスプレイ1300は、(代表的な)ピクセル1302と1312とを含む。ピクセル1302は、赤のディスプレイ要素1304と、赤のディスプレイ要素1304と側辺上で隣接して配設された第1および第2の緑のディスプレイ要素1305および1307と、2つの緑のディスプレイ要素1305および1307と側辺上で隣接しかつ赤のディスプレイ要素1304と対角線上で隣接して配設された青のディスプレイ要素1306とを含む。赤、第1の緑および青のディスプレイ要素1304、1305および1306は、同じサイズの作動面積を有する。第2の緑のディスプレイ要素1307は、赤、第1の緑および青のディスプレイ要素1304、1305および1306の作動面積よりも小さい作動面積を有する。ピクセル1312は、赤のディスプレイ要素1314と、赤のディスプレイ要素1314と側辺上で隣接して配設された第1および第2の緑のディスプレイ要素1315および1317と、2つの緑のディスプレイ要素1315および1317と側辺上で隣接しかつ赤のディスプレイ要素1314と対角線上で隣接して配設された青のディスプレイ要素1316とを含む。赤、第1の緑および青のディスプレイ要素1314、1315および1316は、同じサイズの作動面積を有する。第2の緑のディスプレイ要素1317は、赤、第1の緑および青のディスプレイ要素1314、1315および1316の作動面積よりも小さい作動面積を有する。
【００７２】
図13に示すように、ピクセル1302および1312はピクセル要素の類似の配列を有するが、互いに対して異なって整列される。たとえば、1つの方向(図13のディスプレイ要素の左端の列に示す垂直方向)に沿って、ディスプレイ要素は、ピクセル1302からピクセル1312でジグザグに配置されるので、隣接するピクセルのディスプレイ要素は異なる配列になる。具体的には、ピクセル1302は、第1の行内の赤および第2の緑のディスプレイ要素1304および1307と、第2の行内の第1の緑および青のディスプレイ要素1305および1306とを有する2×2ディスプレイ要素配列で表される。ピクセル1302と直接隣接して配設されるピクセル1312(ピクセル1302の下に整列されるように図13に示されている)もまた、2×2ディスプレイ要素配列で表される。しかしながら、ピクセル1312の第1の行は、青および第2の緑のディスプレイ要素1316および1317を含み、ピクセル1312の第2の行は、第1の緑および赤のディスプレイ要素1315および1314を含む。言い換えれば、ディスプレイの1つの方向に沿った隣接ピクセルでは、赤および青のディスプレイ要素の位置がスワップされる。そのような実施態様では、各色に対するディスプレイ要素は、各色に対する個別の専用のコモン(「COM」)駆動ラインで駆動され得る。
【００７３】
図13に示す実施態様では、ピクセル1302内の第1および第2の緑のディスプレイ要素1305および1307の被変調面積またはフィルファクタは、約2:1の比を有し、差は、第2の緑のディスプレイ要素1307のブラックマスク面積を調整することによって達成される。このことで、緑のディスプレイ要素1305および1307によって4つの照度(illumination)レベルを表示することが可能になり、緑のディスプレイ要素1305および1307が等しい作動面積を有する場合の3つのレベルとは異なる。そのような構成では、ディスプレイ1300の各ピクセルは、ピクセル内の4つのディスプレイ要素のすべてが同じ大きさの作動面積を有する実施態様と比較して、ディスプレイ要素のより低い全反射作動面積に起因して、より低い最大明度を与える。しかしながら、より小さい緑のディスプレイ要素を有するピクセルを有する実施態様はまた、より目につきにくい緑のディザアーティファクトを生成し得、それはそのようなアーティファクトは最小作動面積のサイズに関係するからである。加えて、2つの緑のディスプレイ要素が赤および青のディスプレイ要素と等しいサイズである実施態様と比較して、赤、緑および青のディスプレイ要素を組み合わせることによって、白色点はより容易に達成され得、それにより、緑のディスプレイ要素の全作動面積は、所与のピクセルの全作動面積の約半分になる。白色点までの距離は、2つの緑のミラーの全面積が半分未満、たとえば30%と45%との間になるように、2つの緑のミラーの全面積によって制御され得る。
【００７４】
ディスプレイデバイスの空間構成のいくつかの実施態様は、2つの等しい面積の「小さい」緑の表示面積(たとえば、ミラー)を有するディスプレイ要素またはサブピクセルを有するピクセルを有するディスプレイデバイスを含む。言い換えれば、各ピクセルが、緑の光を放射または反射し得る2つのディスプレイ要素を有し、2つの緑のディスプレイ要素は、互いに等しいサイズであるが、ピクセル構成内の他のディスプレイ要素よりも小さい。そのような実施態様では、2つの緑のミラーの全作動面積は、全ピクセル面積の30%と45%との間であってよく、緑のミラーの全作動面積は、両方のミラーの間で均等に分割される。2つの緑のミラーは、フィルファクタを、同じピクセル内の赤および青のミラーよりも小さくするために、より大きいブラックマスクによって覆われ得る。いくつかの実施態様では、2つのより小さい緑のミラーの全フィルファクタは、フルサイズの緑のミラーと半分の緑のミラーとの平均フィルファクタに等しいことがある。減少した緑のディスプレイ要素のサイズ(より低いフィルファクタ)は、緑のディスプレイ要素の一方または両方がより大きい(たとえば、その他のディスプレイ要素のサイズに等しい)場合よりも、ピクセルの明度を低くさせることがある。そのような実施態様では、両方の緑のディスプレイ要素が赤および青のディスプレイ要素と等しいサイズである実施態様と比較して、白色点は、より容易に達成され得る。白色点までの距離は、2つの緑のミラーの全面積によって制御され得る。2つの小さい緑のディスプレイ要素(またはミラー)を有するこれらの構成では、ディザアーティファクトの可視性は、バイナリ重み付け設計と等面積大ミラー設計との間の中間のレベルにある。ディザアーティファクトは、最小ミラーサイズに依存することがある。したがって、より小さい緑のミラーを含むディスプレイ要素を有するディスプレイは、フルの緑のミラーと比較して、より目につきにくいディザアーティファクトを有し得るが、半分の緑のミラーを有するピクセル構成を組み込むディスプレイと比較して、より目につきやすいアーティファクトを示し得る。そのような実施態様の2つの例を、図14および図16に示す。
【００７５】
図14は、各ピクセルが図12および図13に示すディスプレイに類似するクワッド構成に配列されたディスプレイ要素を有し、各ピクセルがピクセル内の赤のディスプレイ要素および青のディスプレイ要素よりも小さい作動面積を各々が有する緑の光を反射するための2つのディスプレイ要素を含む、ディスプレイ1400の一部分におけるピクセルを表す平面図の別の例を示す。赤、緑および青のディスプレイ要素は、ディスプレイ1400において、それぞれ「R」、「G」および「B」で示される。
【００７６】
図14に示すように、ディスプレイ1400は、(代表的な)ピクセル1402と1412とを含む。ピクセル1402は、赤のディスプレイ要素1404と、赤のディスプレイ要素1404と側辺上で隣接して配設された第1および第2の緑のディスプレイ要素1405および1407と、2つの緑のディスプレイ要素1405および1407と側辺上で隣接しかつ赤のディスプレイ要素1404と対角線上で隣接して配設された青のディスプレイ要素1406とを含む。赤および青のディスプレイ要素1404および1406は、同じサイズの作動面積を有する。第1および第2の緑のディスプレイ要素1405および1407は、赤および青のディスプレイ要素1404および1406の作動面積よりも小さい作動面積を有する。この実施態様では、第1および第2の緑のディスプレイ要素1405および1407は、同じサイズの作動面積を有する。ピクセル1412は、赤のディスプレイ要素1414と、赤のディスプレイ要素1414と側辺上で隣接して配設された第1および第2の緑のディスプレイ要素1415および1417と、2つの緑のディスプレイ要素1415および1417と側辺上で隣接しかつ赤のディスプレイ要素1414と対角線上で隣接して配設された青のディスプレイ要素1416とを含む。赤および青のディスプレイ要素1414および1416は、同じサイズの作動面積を有する。第1および第2の緑のディスプレイ要素1415および1417は、赤および青のディスプレイ要素1404および1406の作動面積よりも小さい作動面積を有する。この実施態様では、第1および第2の緑のディスプレイ要素1405および1407は、同じサイズの作動面積を有する。
【００７７】
図14に示すピクセル(たとえば、ピクセル1402および1412)のロケーションおよびそれらの対応するディスプレイ要素は、図12に示すピクセルおよびディスプレイ要素と同じ相対配向で配列される。そのような実施態様では、各色に対するディスプレイ要素は、単色に対する個別の専用のCOM(駆動)ラインで駆動され得る。また、より小さい緑のディスプレイ要素に対する作動電圧は、同じであってよい。各ピクセル内の2つの緑のディスプレイ要素は、それらがより小さいフィルファクタまたは有効作動面積を有するように、より大きいブラックマスクで覆われ得る。より小さいフィルファクタを有することは、ディスプレイ要素のすべてが同じ大きさの作動面積を有するクワッドピクセルと比較して、より低い明度レベルをもたらすことがある。しかしながら、そのような実施態様では、反射する緑のディスプレイ要素の全寄与が半分未満であるとき、所望の白色点は、赤、緑および青のディスプレイ要素の4つの要素から反射した光を組み合わせることによって、より容易に達成され得る。たとえば、上記で説明したように、白色点までの距離は、2つの緑のミラーの全面積によって制御され得る。図14の実施態様に対するディザアーティファクトの可視性は「中間」であり、すなわち、バイナリ重み付けされた設計(たとえば、図13に示す)と等しいサイズの大きい作動面積の設計(たとえば、図12に示す)との間である。「緑の」ディザアーティファクトの可視性は、緑のディスプレイ要素の最小作動面積サイズに関連する。言い換えれば、2つの等しいが中間サイズの作動面積の緑のディスプレイ要素を有する実施態様は、2つの等しいが比較的大きい作動面積の緑のディスプレイ要素を有する実施態様と比較して、より目につきにくい「緑の」ディザアーティファクトを有し得る。しかしながら、2つの等しいが中間サイズの作動面積の緑のディスプレイ要素を有する実施態様は、図11および図13に示すように、1つの大きい作動面積と1つの小さい作動面積との緑のディスプレイ要素を有する実施態様と比較すると、より目につきやすい「緑の」ディザアーティファクトを有し得る。
【００７８】
図15は、各ピクセルが2つの隣接する緑のディスプレイ要素と、赤のディスプレイ要素と、青のディスプレイ要素とを有する、ディスプレイ1500の一部分におけるピクセルを表す平面図の一例を示す。この実施態様では、赤および青のディスプレイ要素は、それぞれ、2つの緑のディスプレイ要素のうちの異なる一方と側辺上で隣接しかつ他方の緑のディスプレイ要素と対角線上で隣接して配設され、それにより、ピクセル内の赤および青のディスプレイ要素は、互いに側辺上で隣接することも対角線上で隣接することもなく配設される。言い換えれば、所与のピクセル内で、赤および青のディスプレイ要素は、緑のディスプレイ要素の行を越えて互いに斜めに配設される。赤、緑および青のディスプレイ要素は、ディスプレイ1500において、それぞれ「R」、「G」および「B」で示される。
【００７９】
図15に示すように、ディスプレイ1500は、(代表的な)ピクセル1502と1512とを含む。以下で述べる方向的参照は、図15に表すディスプレイ1500の部分の相対配向を指す。ピクセル1502は、赤のディスプレイ要素1504と、第1の緑のディスプレイ要素1505と、第2の緑のディスプレイ要素1507と、青のディスプレイ要素1506とを含む。第1の緑のディスプレイ要素1505は、赤のディスプレイ要素1504と側辺上で隣接してその下に配設される。第2の緑のディスプレイ要素1507は、第1の緑のディスプレイ要素1505と側辺上で隣接してその横に配設され、それにより第1および第2の緑のディスプレイ要素1505および1507は同じ行内に配設される。青のディスプレイ要素1506は、第2の緑のディスプレイ要素1507と側辺上で隣接してその下に配設される。ピクセル1512は、赤のディスプレイ要素1514と、第1の緑のディスプレイ要素1515と、第2の緑のディスプレイ要素1517と、青のディスプレイ要素1516とを含む。青のディスプレイ要素1516は、第1の緑のディスプレイ要素1515と側辺上で隣接してその上に、かつピクセル1502の青のディスプレイ要素1506と側辺上で隣接してその横に配設される。第1の緑のディスプレイ要素1515は、青のディスプレイ要素1516と側辺上で隣接してその下に配設される。第2の緑のディスプレイ要素1517は、第1の緑のディスプレイ要素1515と側辺上で隣接してその横に配設され、それにより第1および第2の緑のディスプレイ要素1515および1517は同じ行内に配設される。赤のディスプレイ要素1514は、第2の緑のディスプレイ要素1517と側辺上で隣接してその下に配設される。説明したディスプレイ要素配列を有するピクセル1502および1512のそのような配列は、本明細書では、「シフトされたクワッドピクセル」と呼ぶことがある。
【００８０】
図15に示すように、各色に対するディスプレイ要素が、1つの行にまたは「ストライプ」に、側辺上で隣接して整列されるように、ディスプレイ要素が配列される。たとえば、赤のディスプレイ要素1530のストライプ、緑のディスプレイ要素1540のストライプ、青のディスプレイ要素1550のストライプ、および緑のディスプレイ要素1560のストライプ、ならびにこのパターンが、ディスプレイ全体に繰り返され得、パターンは「RGBG」パターンである。シフトされたクワッドピクセルの実施態様の1つの利点は、同じ色を作成するように構成されたディスプレイ要素の行、たとえば緑のディスプレイ要素の行にCOM(駆動)ラインが接続されることが可能になることである。
【００８１】
図16は、各ピクセルが図15に示すものと同じ構成に配列された2つの隣接する緑のディスプレイ要素と、赤のディスプレイ要素と、青のディスプレイ要素とを有し、緑のディスプレイ要素が赤および青のディスプレイ要素よりも小さい作動面積を有する、ディスプレイ1600の一部分におけるピクセルを表す平面図の一例を示す。赤、緑および青のディスプレイ要素は、ディスプレイ1600において、それぞれ「R」、「G」および「B」で示される。
【００８２】
図16に示すように、ディスプレイ1600は、(代表的な)ピクセル1602と1612とを含む。以下で述べる方向的参照は、図16に示すディスプレイ1600の部分の相対配向を指す。ピクセル1602は、赤のディスプレイ要素1604と、第1の緑のディスプレイ要素1605と、第2の緑のディスプレイ要素1607と、青のディスプレイ要素1606とを含む。第1の緑のディスプレイ要素1605は、赤のディスプレイ要素1604と側辺上で隣接してその下に配設される。第2の緑のディスプレイ要素1607は、第1の緑のディスプレイ要素1605と側辺上で隣接してその横に配設され、それにより第1および第2の緑のディスプレイ要素1605および1607は同じ行内に配設される。青のディスプレイ要素1606は、第2の緑のディスプレイ要素1607の下に配設される。ピクセル1612は、赤のディスプレイ要素1614と、第1の緑のディスプレイ要素1615と、第2の緑のディスプレイ要素1617と、青のディスプレイ要素1616とを含む。青のディスプレイ要素1616は、第1の緑のディスプレイ要素1615と側辺上で隣接してその上に、かつピクセル1602の青のディスプレイ要素1606と側辺上で隣接してその横に配設される。第1の緑のディスプレイ要素1615は、青のディスプレイ要素1616と側辺上で隣接してその下に配設される。第2の緑のディスプレイ要素1617は、第1の緑のディスプレイ要素1615と側辺上で隣接してその横に配設され、それにより第1および第2の緑のディスプレイ要素1615および1617は同じ行内に配設される。赤のディスプレイ要素1614は、第2の緑のディスプレイ要素1617と側辺上で隣接してその下に配設される。
【００８３】
この実施態様では、緑のディスプレイ要素は、赤および青のディスプレイ要素よりも小さい作動面積、すなわちより小さい表示面積を有する。たとえば、第1の緑のディスプレイ要素1605および第2の緑のディスプレイ要素1607は、赤のディスプレイ要素1604および青のディスプレイ要素1606の作動面積よりも小さい作動面積(または表示面積)を有する。いくつかの実施態様では、緑のディスプレイ要素は、より小さくなりかつより小さい作動面積を有するように製作される。他の実施態様では、緑のディスプレイ要素は、赤および青のディスプレイ要素と同じサイズであるが、ディスプレイ要素の一部分を覆うブラックマスクを有し、作動表示面積が縮小される。説明したディスプレイ要素配列を有するピクセル1602および1612のそのような配列は、本明細書では、「より小さい緑のディスプレイ要素を有するシフトされたクワッドピクセル」と呼ぶことがある。
【００８４】
図16に示すように、各色に対するディスプレイ要素が、ストライプに整列されるように、ディスプレイ要素が配列される。たとえば、赤のディスプレイ要素1630のストライプ、緑のディスプレイ要素1640のストライプ、青のディスプレイ要素1650のストライプ、緑のディスプレイ要素1660のストライプ、およびこのパターンが、ディスプレイ全体に繰り返され得、パターンは「RGBG」パターンである。シフトされたクワッドピクセルの実施態様の1つの利点は、単一のストライプにCOM(駆動)ラインが接続されることが可能になることである。図12、図13および図14に示す実施態様など、いくつかの実施態様は、一方向に延びる一行内の単色のディスプレイ要素が、単一のCOMラインに接続されることを可能にするが、そのような実施態様では、単色のディスプレイ要素は、互いに対角線上で隣接する。図16の実施態様では、単色のディスプレイ要素は、第1の方向に沿った一行内で側辺上で隣接しており、したがって、行を超えて共通色のディスプレイ要素をアドレス指定することは、図12〜図14の実施態様と比較すると、図16の実施態様においてはより容易である。また、図15に示すシフトされたクワッドの実施態様は、作動面積サイズが赤および青のディスプレイ要素とすべて等しい緑のディスプレイ要素を示し、図16に示すシフトされたクワッドの実施態様は、作動面積サイズが互いに等しく、赤および青のディスプレイ要素よりも小さい作動面積を有する、緑のディスプレイ要素を示すけれども、いくつかの実施態様では、単一のピクセルが、赤および青のディスプレイ要素と等しいサイズを有する作動面積を有する第1の緑のディスプレイ要素を有し得るが、第2の緑のディスプレイ要素が、たとえば、図11および図13の実施態様におけるように、他方の緑のディスプレイ要素よりも小さい作動面積を有することを理解されたい。たとえば、図15を参照すると、緑のディスプレイ要素1505は赤および青のディスプレイ要素1504および1506と等しくてよいが、緑のディスプレイ要素1507は緑のディスプレイ要素1505よりも小さくてもよい。
【００８５】
図17は、各ピクセルが図15に示すものと同じ構成に配列された2つの隣接する緑のディスプレイ要素と、赤のディスプレイ要素と、青のディスプレイ要素とを有し、1つおきのピクセルの緑のディスプレイ要素が赤と青の両方のディスプレイ要素の作動面積のサイズの半分以下の作動面積を有する、ディスプレイ1700の一部分におけるピクセルを表す平面図の一例を示す。赤、緑および青のディスプレイ要素は、ディスプレイ1700において、それぞれ「R」、「G」および「B」で示される。
【００８６】
図17に示すように、ディスプレイ1700は、(代表的な)ピクセル1702と1712とを含む。以下で述べる方向的参照は、図17に示すディスプレイ1700の部分の相対配向を指す。ピクセル1702は、赤のディスプレイ要素1704と、第1の緑のディスプレイ要素1705と、第2の緑のディスプレイ要素1707と、青のディスプレイ要素1706とを含む。第1の緑のディスプレイ要素1705は、赤のディスプレイ要素1704と側辺上で隣接してその下に配設される。第2の緑のディスプレイ要素1707は、第1の緑のディスプレイ要素1705と側辺上で隣接してその横に配設され、それにより第1および第2の緑のディスプレイ要素1705および1707は同じ行内に配設される。青のディスプレイ要素1706は、第2の緑のディスプレイ要素1707の下に配設される。ピクセル1712は、赤のディスプレイ要素1714と、第1の緑のディスプレイ要素1715と、第2の緑のディスプレイ要素1717と、青のディスプレイ要素1716とを含む。青のディスプレイ要素1716は、第1の緑のディスプレイ要素1715と側辺上で隣接してその上に、かつピクセル1702の青のディスプレイ要素1706と側辺上で隣接してその横に配設される。第1の緑のディスプレイ要素1715は、青のディスプレイ要素1716と側辺上で隣接してその下に配設される。第2の緑のディスプレイ要素1717は、第1の緑のディスプレイ要素1715と側辺上で隣接してその横に配設され、それにより第1および第2の緑のディスプレイ要素1715および1717は同じ行内に配設される。赤のディスプレイ要素1714は、第2の緑のディスプレイ要素1717と側辺上で隣接してその下に配設される。
【００８７】
この実施態様では、1つおきのピクセル内の緑のディスプレイ要素は、赤および青のディスプレイ要素よりも小さい作動面積、すなわちより小さい表示面積を有する。たとえば、ピクセル1702の第1の緑のディスプレイ要素1705および第2の緑のディスプレイ要素1707は、赤のディスプレイ要素1704および青のディスプレイ要素1706の作動面積と同じサイズの作動面積を有する。しかしながら、ピクセル1712において、第1の緑のディスプレイ要素1715および第2の緑のディスプレイ要素1717は、赤のディスプレイ要素1714および青のディスプレイ要素1716の作動面積のサイズの半分の作動面積を有する。いくつかの実施態様では、そのような緑のディスプレイ要素は、より小さくなりかつより小さい作動面積を有するように製作される。他の実施態様では、緑のディスプレイ要素は、赤および青のディスプレイ要素と同じサイズであるが、ディスプレイ要素の一部分を覆うブラックマスクを有し、作動表示面積が縮小される。説明したディスプレイ要素配列を有するピクセル1702および1712のそのような配列は、本明細書では、「交番するピクセルが半分の緑のディスプレイ要素を有するシフトされたクワッドピクセル」と呼ばれことがある。
【００８８】
図17に示すように、各色に対するディスプレイ要素が、ストライプに整列されるように、ディスプレイ要素が配列される。たとえば、赤のディスプレイ要素1730のストライプ、緑のディスプレイ要素1740のストライプ、青のディスプレイ要素1750のストライプ、緑のディスプレイ要素1760のストライプ、およびこのパターンが、ディスプレイ全体にわたって繰り返され得る。シフトされたクワッドピクセルの実施態様の1つの利点は、単一のストライプにCOM(駆動)ラインが接続されることが可能になることである。
【００８９】
図18は、各ピクセルが赤のディスプレイ要素と、青のディスプレイ要素と、一列に配列された2つの隣接した緑のディスプレイ要素とをそれぞれ有し、2つの緑のディスプレイ要素が、それぞれ赤または青のディスプレイ要素の作動面積よりも小さい作動面積を有する、ディスプレイ1800の一部分におけるピクセルを表す平面図の一例を示す。赤、緑および青のディスプレイ要素は、ディスプレイ1800において、それぞれ「R」、「G」および「B」で示される。
【００９０】
図18に示すように、ディスプレイ1800は、ディスプレイ1800全体にわたって繰り返されるディスプレイ要素のパターンを示す(代表的な)ピクセル1802と1812とを含む。以下で述べる方向的参照は、図18に示すディスプレイ1800の部分の相対配向を指す。ピクセル1802は、2×2構成に配列された、赤のディスプレイ要素1804と、第1の緑のディスプレイ要素1805と、第2の緑のディスプレイ要素1807と、青のディスプレイ要素1806とを含む。青のディスプレイ要素1806は、赤のディスプレイ要素1804と側辺上で隣接してその横に配設され、それにより、青のディスプレイ要素1806は赤のディスプレイ要素1804の左側にある。第1の緑のディスプレイ要素1805は、青のディスプレイ要素1806と側辺上で隣接してその下に配設される。第2の緑のディスプレイ要素1807は、第1の緑のディスプレイ要素1805と側辺上で隣接してその横に、かつ赤のディスプレイ要素1804の下に配設される。ピクセル1812は、2×2構成に配列された、赤のディスプレイ要素1814と、第1の緑のディスプレイ要素1815と、第2の緑のディスプレイ要素1817と、青のディスプレイ要素1816とを含む。第1の緑のディスプレイ要素1815は、第2の緑のディスプレイ要素1817と側辺上で隣接してその横に配設され、それにより第1および第2の緑のディスプレイ要素1815および1817は同じ行内に配設される。赤のディスプレイ要素1814は、第1の緑のディスプレイ要素1815と側辺上で隣接してその下に配設される。青のディスプレイ要素1816は、第2の緑のディスプレイ要素1817と側辺上で隣接してその下に、かつ赤のディスプレイ要素1814の横に配設される。この実施態様では、ピクセル1802の第1および第2の緑のディスプレイ要素1805および1807は、ピクセル1812の第1および第2の緑のディスプレイ要素1815および1817と隣接してその上に配列され、それにより緑の要素は、緑のディスプレイ要素の第1および第2のストライプ1830および1835を形成する。
【００９１】
図18の実施態様のピクセルおよびディスプレイ要素の配列は、図10および図11に示す配列と同様であるが、同一ではない。たとえば、図10、図11および図18では、ピクセルは、2×2クワッド構成に配列され、各ピクセルは、サイドバイサイドに配列された赤、青、および2つの緑のディスプレイ要素を有する。図10、図11および図18に示すピクセル内の2つの緑のディスプレイ要素は、隣接ピクセルの2つの緑のディスプレイ要素に隣接するように配列され、2つの隣接する緑のディスプレイ要素のストライプが形成される。しかしながら、図10では、緑のディスプレイ要素1008、1010、1018および1020は、等しいサイズであり、赤のディスプレイ要素1004および1014ならびに青のディスプレイ要素1006および1016とサイズが等しい。図11では、各ピクセル(たとえば、ピクセル1102)は、赤のディスプレイ要素1104および青のディスプレイ要素1106とサイズが等しい緑のディスプレイ要素1105を含み、同様に、より小さい緑のディスプレイ要素1107も含む。図18では、ピクセル1802によって代表されるように、各ピクセルは、互いに対して等しいサイズの2つの緑のディスプレイ要素1805と1807とを含むが、2つの緑のディスプレイ要素1805および1807は、ピクセル1802内の赤のディスプレイ要素1804または青のディスプレイ要素1806よりも小さい(すなわち、より小さい作動面積を有する)。
【００９２】
ディスプレイ1800内の緑のディスプレイ要素は、互いに同じサイズおよび形状の作動面積を有するが、青および赤のディスプレイ要素の作動面積よりも小さい作動面積を有する。いくつかの実施態様では、緑のディスプレイ要素は、さもなければ作動面積の部分であるディスプレイ要素の一部分を覆い隠すためにブラックマスクを使用することによってより小さい作動面積を有するように構成される。この構成の1つの利点は、図19に示すように、赤、緑および青のディスプレイ要素が、各色に対する個別の専用のCOMラインに接続され得ることである。いくつかの実施態様では、COMラインは、ルーティングラインとして構成された導電性ブラックマスクによって赤、緑および青のディスプレイ要素に接続される。たとえば、ルーティングラインとしてブラックマスクの単層または2つ以上の層を使用する。
【００９３】
図19Aは、ディスプレイ要素の列の間に配設された2つのセグメントラインを有する、図9に示すディスプレイ900の一部分におけるディスプレイ要素に結合されたラインを表す平面図の概略図を示す。図示の実施態様では、ディスプレイ要素の列の2倍のセグメントラインが存在する。赤、緑および青のディスプレイ要素は、ディスプレイ900において、それぞれ「R」、「G」および「B」で示される。赤、緑および青のディスプレイ要素は、図9に示すように、同じ配列で示される。以下で述べる方向的参照は、図9に示すディスプレイ900の部分の相対配向を指し、本開示の明快さのために提供される。このバスライン構造は、異なる色のディスプレイ要素が異なる作動電圧を有し、側辺上で隣接するディスプレイ要素が同じ色を与えないようにディスプレイ要素が配列されているときでも、同じ作動電圧を有するディスプレイ要素が単一のCOMラインでアドレス指定され得るような方法で、ドライバによって個別にアドレス指定可能であることを可能にする。言い換えれば、特定の色のディスプレイ要素は、その色のディスプレイ要素だけを駆動するCOMラインに接続され得る。そのような実施態様はまた、フレームリフレッシュレートを高めるために有利であり得る。たとえば、2つの青の行を一度に同時に更新することによって、フレームレートを高めることができる。COMライン1932は、青のディスプレイ要素の2つの行に接続され、COMライン1935はまた、青の別のラインである、青のディスプレイ要素の2つの行に接続される。これらの2つの行内の青のディスプレイ要素の各々は異なるセグメントラインに接続されているので、COMライン1932または1935のいずれかに駆動信号を与えることで、COMラインがやはり接続されている2つの行内の青のディスプレイ要素の各々をアドレス指定することができる。別の実施態様では、COMライン1931および1934は、同じ駆動ライン1942に接続され得、COMライン1931および1934の各々に接続される2つの行内の赤のディスプレイ要素は、赤のディスプレイ要素の各々は異なるセグメントラインに接続されているので、同時にアドレス指定され得る。このことは、スクリーンを更新するのにかかる時間を50%以上短縮し、フレームリフレッシュレートを2倍以上増加させる。いくつかの
実施態様では、ディスプレイ要素は、ブラックマスクルーティング方式の単層で実装されるCOMラインによって接続される。
【００９４】
図19Aに示すバスライン構造は、ディスプレイ要素の列の間に垂直方向に整列されたセグメントライン1921〜1928を含む。図19Aは、(本明細書で図示するすべての図と同様に)概略表現であり、セグメントライン1921〜1928の正確な物理的配置は、図19Aに示す通りでなくてもよいことを理解されたい。2つのセグメントラインは、ディスプレイ要素の各列の間に配設される。たとえば、セグメントライン1922および1923は、ディスプレイ要素1980の第1の列とディスプレイ要素1982の第2の列との間に設置される。セグメントライン1924および1925は、ディスプレイ要素の第2の列1982と第3の列1984との間に設置される。セグメントライン1926および1927は、ディスプレイ要素の第3の列1984と第4の列1986との間に設置される。セグメントラインは、コネクタ、たとえばコネクタ1950aおよび1950bによってディスプレイ要素に電気的に接続される。たとえば、青のディスプレイ要素1906および緑のディスプレイ要素1905は、セグメントライン1921に接続される。赤のディスプレイ要素1915および青のディスプレイ要素1914は、セグメントライン1922に接続される。赤のディスプレイ要素1904および青のディスプレイ要素1907は、セグメントライン1923に接続される。緑のディスプレイ要素1917および赤のディスプレイ要素1916は、セグメントライン1924に接続される。
【００９５】
バスライン構造はまた、COMライン1930〜1938を含み、各COMラインは、ディスプレイ900の1つまたは2つの行内でかつディスプレイ要素の異なる列内に配設されたディスプレイ要素の唯一の色に接続される。図19Bに示す実施態様では、COMライン1930および1933は、それぞれ、ディスプレイ900の異なる行内に配列された緑のディスプレイ要素を含む、複数の緑のディスプレイ要素に接続される。COMライン1931および1934は、それぞれ、ディスプレイ900の異なる行内に配列された赤のディスプレイ要素を含む、複数の赤のディスプレイ要素に接続される。COMライン1932および1935は、それぞれ、ディスプレイ900の異なる行内に配列された青のディスプレイ要素を含む、複数の青のディスプレイ要素に接続される。COMライン1930および1933は、単一の駆動ライン1940に接続され得る。これは、異なるCOMライン1930および1933の各々に結合された緑のディスプレイ要素が、異なるセグメントラインに結合され、異なるセグメントラインによってアドレス指定され得るからである。同様に、異なるセグメントラインが、これらのCOMラインに接続されている赤のディスプレイ要素をアドレス指定するので、COMライン1931および1934は、単一の駆動ライン1942に接続され得る。異なるセグメントラインが、これらのCOMラインに接続されている青のディスプレイ要素をアドレス指定するので、COMライン1932および1935は、それぞれ、単一の駆動ライン1944に接続され得る。そのような実施態様では、単一の駆動ラインが、2つの異なる行内の同じ色のディスプレイ要素を駆動するために使用され得、2つの行内の各ディスプレイ要素は異なるセグメントラインで駆動されるので、2つの行内のディスプレイ要素は、個別に駆動され得る。図19Aはまた、COMライン1936に接続された緑の駆動ライン1946と、COMライン1937に接続された赤の駆動ライン1948と、COMライン1938に接続された青の駆動ライン1950とを示す。駆動ラインのこの第2のセットは、緑の駆動ライン1940、赤の駆動ライン1942、および青の駆動ライン1944と同様に、ディスプレイ900内の他のCOMラインに接続され得る。いくつかの実施態様では、二重ブラックマスク構造が、セグメントラインがブラックマスク内に画定される場合に使用される。いくつかの実施態様では、COMラインが、図8Eの可動反射層14の上部金属層14cなど、ディスプレイ要素の可動反射層の上部金属構造内に形成される。
【００９６】
図19Bは、ディスプレイ要素の列の間に配設された2つのセグメントラインを有する、図10のディスプレイ1000および図11のディスプレイ1100の配列に類似する、図18に示すディスプレイ1800の一部分におけるディスプレイ要素に結合された駆動ラインを表す平面図の一例を示す。図示の実施態様では、ディスプレイ要素の列の2倍のセグメントラインが存在する。赤、緑および青のディスプレイ要素は、ディスプレイ1800において、それぞれ「R」、「G」および「B」で示される。赤、緑および青のディスプレイ要素は、図18に示すように、同じ配列で示される。以下で述べる方向的参照は、図18に示すディスプレイ1800の部分の相対配向を指し、本開示の明快さのために提供される。
【００９７】
図19Bは、駆動信号をディスプレイ要素に与えるために使用されるバスライン構造の実施態様を示す。図19Aに示す実施態様と同様に、このバスライン構造もまた、異なる色のディスプレイ要素が異なる作動電圧を有し、側辺上で隣接するディスプレイ要素が同じ色を持たないようにディスプレイ要素が配列されているときでも、同じ作動電圧を有するディスプレイ要素が単一のCOMラインでアドレス指定され得るような方法で、ドライバによって個別にアドレス指定可能であることを可能にする。
【００９８】
さらに図19Bを参照すると、バスライン構造は、ディスプレイ要素の間で図19Bにおいて垂直方向に整列されたセグメントライン1821〜1828を含む。2つのセグメントラインは、ディスプレイ要素の各列の間に配設される。たとえば、セグメントライン1822および1823は、ディスプレイ要素1880の第1の列とディスプレイ要素1882の第2の列との間に設置され、セグメントライン1824および1825は、ディスプレイ要素1882の第2の列とディスプレイ要素1884の第3の列との間に設置され、セグメントライン1826および1827は、ディスプレイ要素1884の第3の列とディスプレイ要素1886の第4の列との間に設置される。セグメントラインは、コネクタ、たとえば、赤のディスプレイ要素をセグメントライン1821に接続するコネクタ1850aおよび青のディスプレイ要素をセグメントライン1823に接続するコネクタ1850bを介してディスプレイ要素に電気的に接続される。たとえば、青のディスプレイ要素1806および緑のディスプレイ要素1805は、セグメントライン1821に接続される。赤のディスプレイ要素1804および緑のディスプレイ要素1807は、セグメントライン1823に接続される。緑のディスプレイ要素1815および赤のディスプレイ要素1814は、セグメントライン1822に接続される。緑のディスプレイ要素1817および青のディスプレイ要素1816は、セグメントライン1824に接続される。
【００９９】
バスライン構造はまた、COMライン1830〜1837を含み、各COMラインは、コネクタ、たとえばコネクタ1860aおよび1860b(他のコネクタは図19Bの明確さのために明示的にラベル付されていない)によってディスプレイ要素の1つの色だけに電気的に接続されている。図19Bに示す実施態様では、COMライン1830、1832、1834および1836は、それぞれ、複数の赤のディスプレイ要素に接続されている。COMライン1831および1835は、それぞれ、ディスプレイ1800の異なる行内に配列された青のディスプレイ要素を含む、複数の青のディスプレイ要素に接続される。COMライン1833および1837は、それぞれ、ディスプレイ1800の異なる行内に配列された緑のディスプレイ要素を含む、複数の緑のディスプレイ要素に接続される。COMライン1830、1832、1834および1836は、単一の駆動ライン1840に接続され得る。これは、異なるCOMライン1830、1832、1834および1836の各々に結合された赤のディスプレイ要素が、異なるセグメントラインによってアドレス指定され得るからである。同様に、異なるセグメントラインが、異なるCOMライン内の青の要素をアドレス指定するので、COMライン1831および1835は、単一の駆動ライン1842に接続され得る。しかしながら、緑のCOMライン1833に接続された駆動ライン1843およびCOMライン1837に接続された駆動ライン1844は、この実施態様では一緒に接続されてはいない。代わりに、この構成では、単一の緑のCOMライン1833は、ディスプレイ1800の2つの隣接する行内の緑のディスプレイ要素の各々、たとえばディスプレイ1800の第3および第4の行内の緑のディスプレイ要素のすべてに接続される。緑のCOMライン1837は、ディスプレイ1800の第7および第8の行内の緑のディスプレイ要素のすべてに接続される。図19Bに示すように、セグメントライン1821〜1828は、ディスプレイ要素の第3または第4の行とディスプレイ要素の第7または第8の行の両方の中の緑のディスプレイ要素に接続される。したがって、この実施態様では、緑のCOMライン1837は、緑のディスプレイ要素の各々が個別に、すなわち単一の被駆動セグメントラインと単一の被駆動COMラインとによって、アドレス指定されることを可能にするために、緑のCOMライン1833には接続されない。緑のCOMライン1833および1837は一緒に接続されないので、COMライン1833および1837は、それぞれ、緑のディスプレイ要素の2つの行に接続され得、両方の行は異なるセグメントラインによってアドレス指定されるので、各ラインは、2つの行にデータを同時に書き込むことができる。いくつかの実施態様では、COMライン1833および1837の各々の上のスイッチが、COMラインを互いから分離し得、対応する駆動ライン1843および1844は接続されてもよい。いくつかの実施態様では、二重ブラックマスク構造が、セグメントライン(たとえば、データライン)がブラックマスク内に画定される場合に使用される。いくつかの実施態様では、COMラインが、図8Eの可動反射層14の上部金属層14cなど、ディスプレイ要素の可動反射層の上部金属構造内に形成される。
【０１００】
図19Cは、ディスプレイ2100の一部分内のディスプレイ要素に結合された駆動ラインを表す平面図の別の例を示す。この実施態様は、クワッドピクセル内で、3色すべてのディスプレイ要素が、各色に対して、個別の専用の行駆動ライン(またはCOMライン)に接続され得るように、ディスプレイ要素配列を活用する。そのような行駆動ラインは、たとえば、ブラックマスクの1つまたは複数の導電層であってよく、したがってディスプレイ要素の既存の構造が利用される。(ディスプレイ要素自体が駆動ラインを形成する構成ではなく)個別の駆動ラインを有することはまた、各ディスプレイ要素が、書込みサイクル中に他の隣接するディスプレイ要素から電気的影響および電荷の影響を受けにくいので、要望通りにより正確に各ディスプレイ要素が作動することを可能にする。
【０１０１】
図19Cに示すディスプレイ2100の部分は、8つの行2191〜2198および4つの列2181、2183、2185および2187に配列されたディスプレイ要素の4×8アレイを含む。赤、緑および青として知覚され得る光の波長を反射するように構成された個別のディスプレイ要素(言い換えれば、赤、緑および青のディスプレイ要素)が、ディスプレイ2100において、それぞれ、「R」、「G」および「B」で示される。図19Cに示す赤、緑および青のディスプレイ要素は、図12〜図14に示すディスプレイ要素と同じ配列内にある。方向的参照は、図19Cに示すディスプレイ2100の部分の相対配向を指し、本開示の明快さのために提供され、ディスプレイまたはその構成要素の向きを多少なりとも限定するように解釈されるべきではない。
【０１０２】
図19Cに示すように、ディスプレイは、ディスプレイ2100内に垂直に整列されたセグメントライン2121、2131、2123、2133、2125、2135、2127および2137を含み、2つのセグメントラインが、ディスプレイの列要素2181、2183、2185および2187の各々の間に配設される。たとえば、セグメントライン2121は、図19Cに示すディスプレイ2100の部分の左端のディスプレイ要素の列2181である、ディスプレイ要素の列2181の左に設置される。セグメントライン2131および2123は、ディスプレイ要素列2181および2183の間に設置される。セグメントライン2133および2125は、ディスプレイ要素列2183および2185の間に設置される。セグメントライン2135および2127は、ディスプレイ要素列2185および2187の間に設置される。セグメントラインは、たとえば、ディスプレイ要素に駆動信号(または駆動電圧)を与えるために、図2の列ドライバ回路26によって示される、ドライバ回路に接続され得る。
【０１０３】
この実施態様では、セグメントライン2121、2131、2123、2133、2125、2135、2127および2137は、いくつかのディスプレイ要素列の間を伸び(run)、セグメントラインに接近または隣接しているディスプレイ要素列内にあるいくつかのディスプレイ要素に電気的に結合される。たとえば、コネクタ2161は、ディスプレイ要素2102とセグメントライン2121との間の電気的結合を示す。図19Cに示すように、セグメントライン2121は、赤のディスプレイ要素2102と、緑のディスプレイ要素2112と、青のディスプレイ要素2122とを含む、ディスプレイ要素2181内のいくつかのディスプレイ要素に結合される。また、図示のように、セグメントライン2131は、ディスプレイ要素列2181内のいくつかのディスプレイ要素に、具体的には緑のディスプレイ要素2132と、第5(R)、第7(B)および第8(G)のディスプレイ要素とに結合される。本明細書で言及するように、ディスプレイ要素は、図示のディスプレイの部分を列の最上位から下方に参照され得、たとえば、ディスプレイ要素の図示の列の最上位から5番目のディスプレイ要素は、時々、第5のディスプレイ要素と呼ばれる。セグメントライン2123は、ディスプレイ要素列2183内の緑のディスプレイ要素2104と、青のディスプレイ要素2114と、第5(G)および第8(R)のディスプレイ要素とに結合される。セグメントライン2133は、ディスプレイ要素列2183内の緑のディスプレイ要素2124と、赤のディスプレイ要素2134と、第6(B)および第7(G)のディスプレイ要素とに結合される。セグメントライン2125は、ディスプレイ要素列2185内の赤のディスプレイ要素2106と、緑のディスプレイ要素2116と、青のディスプレイ要素2126と、第6(G)のディスプレイ要素とに結合される。セグメントライン2135は、ディスプレイ要素列2185内の緑のディスプレイ要素2136と、第5(R)、第7(B)および第8(G)のディスプレイ要素とに結合される。セグメントライン2127は、ディスプレイ要素列2187内の緑のディスプレイ要素2108と、青のディスプレイ要素2118と、第5(G)および第8(R)のディスプレイ要素とに結合される。セグメントライン2137は、ディスプレイ要素列2187内の緑のディスプレイ要素2128と、赤のディスプレイ要素2138と、第6(B)および第7(G)のディスプレイ要素とに結合される。
【０１０４】
ディスプレイ2100全体を通して、ディスプレイ要素列2181、2183、2185および2187内に示すように、ディスプレイ要素パターンR、G、B、Gは、列方向に上および下に繰り返される。しかしながら、図19Cのディスプレイ2100の実施態様に示すように、繰り返されるディスプレイ要素パターンは、隣接する列内のディスプレイ要素パターンからオフセットされる。ディスプレイ要素のこの配列もまた、図12〜図14に示されている。したがって、ディスプレイ要素列2181内のR、GおよびBのディスプレイ要素は、ディスプレイ要素列2185内のR、GおよびBのディスプレイ要素と(水平方向に)整列され、互いに(水平方向に)整列されているディスプレイ要素列2183および2187内のR、GおよびBのディスプレイ要素からオフセットされている。ディスプレイ2100の行2191および2195内で、左から右へのディスプレイ要素はR、G、RおよびGである。行2192および2196内で、左から右へのディスプレイ要素はG、B、GおよびBである。行2193および2197内で、左から右へのディスプレイ要素はB、G、BおよびGである。行2194および2198内で、左から右へのディスプレイ要素はG、R、GおよびRである。
【０１０５】
図19Cのディスプレイ要素の配列は、駆動信号をディスプレイ要素に与えるために、COMライン2144、2146、2152、2154、2156、2162、2164、2166および2172を使用する。COMラインは、コネクタ2160(図の明快さのために、必ずしもすべてのコネクタがラベル付けされているとは限らない)によってディスプレイ要素に電気的に接続される。たとえば、図19Cに示すように、赤の行ライン2156は、赤のディスプレイ要素2134および2138に接続され、同時に行2195内の2つの赤のディスプレイ要素に接続される。いくつかの実施態様では、図19Cに示すように、赤の駆動ライン2144および2156は、R1における駆動信号が、結合されたディスプレイ要素の各々を駆動するように接続され得る。コモン駆動ラインを接続することで、赤のディスプレイ要素駆動信号をディスプレイ内にルーティングすることが最小化され得る。ディスプレイ要素の列の間に配設される2つのセグメントラインを有する図示の実施態様では、赤のディスプレイ要素の各々は、いくつかのコモン駆動ラインが接続されている場合でも、個別にアドレス指定され得る。複数の赤駆動ラインが単一の入来(incoming)駆動ラインに接続されるいくつかの実施態様では、いくつかの駆動(COM)ラインは、どの時点においても、特定の色の複数のディスプレイ要素のいくつかをアドレス指定するために、スイッチ(図示せず)を使用して分離され得る。他の実施態様では、セグメントラインの各々および駆動ラインの各々が、ドライバ回路に接続される。
【０１０６】
赤駆動ラインと同様に、緑駆動ライン2146が、行2191および2192内のディスプレイ要素の間に設置され、これらの行内の緑のディスプレイ要素2104、2108、2112および2116に接続される。緑の駆動ライン2154が、ディスプレイ要素行2193および2194の間に設置され、これらの2つの行内の緑のディスプレイ要素、すなわち緑のディスプレイ要素2132、2136、2124および2128に接続される。いくつかの実施態様では、緑駆動ライン2154は、緑駆動ライン2146に接続される。この実施態様では、青駆動ライン2152が、ディスプレイ要素行2192と2193との間に設置される。青駆動ライン2152が、行2192および2193内で青のディスプレイ要素2122、2114、2126および2118に接続され、同時に行2192および2193内の青のディスプレイ要素に接続され得る。このパターンは、ディスプレイ2100の残りに対して繰り返され得る。
【０１０７】
図19A、図19Bおよび図19Cは、ディスプレイ要素の列に関連付けられた2つのセグメントラインを有し、列の複数の行内のピクセルを独立にアドレス指定するように構成されたディスプレイの実施態様を示す。いくつかの実施態様では、ディスプレイは、ディスプレイ要素の列に関連付けられた2つ以上のセグメントラインを含み得る。2つ以上のセグメントラインの各々は、単一の駆動信号が2つ以上のCOM駆動ラインに与えられ得るように電気的に接続された、2つ以上のCOM駆動ラインに接続されるディスプレイ要素の複数の行のうちの1つの中のディスプレイ要素に接続される。ディスプレイ要素の列に関連付けられたセグメントラインの数を増加させることで、信号が、接続された2つ以上の駆動ラインに与えられるとき、独立に駆動され得る列内のディスプレイ要素の数も増加する。たとえば、図19Cでは、ディスプレイ要素列2185は、駆動ライン2146に接続された緑のディスプレイ要素2116と駆動ライン2154に接続された緑のディスプレイ要素2136とを含み、駆動ライン2146および2154は、G1駆動端子に電気的に接続される。セグメントライン2125および2135は、それぞれ、緑のディスプレイ要素2116および2136に接続される。この構成の場合、駆動ライン2146および2154が接続されているとしても、緑のディスプレイ要素2116および2136の各々は、各々が異なるセグメントラインに接続されているので、個別に駆動され得る。ディスプレイ要素列2185はまた、駆動ライン2162およびセグメントライン2125に接続されている緑のディスプレイ要素2173と、駆動ライン2166およびセグメントライン2135に接続されている緑のディスプレイ要素2174とを含む。駆動ライン2162および2166は、G2端子に電気的に接続される。緑のディスプレイ要素2173および2174は、各々が異なるセグメントラインに接続されているので、個別に駆動され得る。しかしながら、いくつかの実施態様では、ディスプレイ要素の列に関連付けられ/接続されたセグメントラインが、2つ以上存在することがある。ディスプレイ要素列2185が、それに関連付けられた4つのセグメントラインを有し、かつ緑のディスプレイ要素2114、2136、2173および2174の各々が異なるセグメントラインに接続されていた場合、駆動ライン2146、2154、2162および2164は、すべて、コモンG駆動端子に接続され得、これらの駆動ラインに接続された緑のディスプレイ要素は、個別に駆動され得る。
【０１０８】
図20Aおよび図20Bは、複数の干渉変調器を含むディスプレイデバイス40を示すシステムブロック図の例を示す。ディスプレイデバイス40は、たとえば、スマートフォン、セルラー電話または携帯電話であり得る。ただし、ディスプレイデバイス40の同じ構成要素またはディスプレイデバイス40の軽微な変形も、テレビジョン、タブレット、電子リーダー、ハンドヘルドデバイスおよびポータブルメディアプレーヤなど、様々なタイプのディスプレイデバイスを示す。
【０１０９】
ディスプレイデバイス40は、ハウジング41と、ディスプレイ30と、アンテナ43と、スピーカー45と、入力デバイス48と、マイクロフォン46とを含む。ハウジング41は、射出成形および真空成形を含む様々な製造プロセスのうちのいずれかから形成され得る。さらに、ハウジング41は、限定はしないが、プラスチック、金属、ガラス、ゴム、およびセラミック、またはそれらの組合せを含む、様々な材料のうちのいずれかから製作され得る。ハウジング41は、異なる色の、または異なるロゴ、ピクチャ、もしくはシンボルを含んでいる、他の取外し可能な部分と交換され得る、取外し可能な部分(図示せず)を含むことができる。
【０１１０】
ディスプレイ30は、本明細書で説明する、双安定またはアナログディスプレイを含む様々なディスプレイのうちのいずれかであり得る。ディスプレイ30はまた、プラズマ、EL、OLED、STN LCD、またはTFT LCDなど、フラットパネルディスプレイ、あるいはCRTまたは他の管デバイスなど、非フラットパネルディスプレイを含むように構成され得る。さらに、ディスプレイ30は、本明細書で説明する干渉変調器ディスプレイを含むことができる。
【０１１１】
ディスプレイデバイス40の構成要素は図20Bに概略的に示されている。ディスプレイデバイス40は、ハウジング41を含み、それの中に少なくとも部分的に密閉された追加の構成要素を含むことができる。たとえば、ディスプレイデバイス40は、トランシーバ47に結合されたアンテナ43を含むネットワークインターフェース27を含む。トランシーバ47はプロセッサ21に接続され、プロセッサ21は調整ハードウェア52に接続される。調整ハードウェア52は、信号を調整する(たとえば、信号をフィルタリングする)ように構成され得る。調整ハードウェア52は、スピーカー45およびマイクロフォン46に接続される。プロセッサ21は、入力デバイス48およびドライバコントローラ29にも接続される。ドライバコントローラ29は、フレームバッファ28に、およびアレイドライバ22に結合され、アレイドライバ22は次にディスプレイアレイ30に結合される。いくつかの実施態様では、電源50が、特定のディスプレイデバイス40設計において実質的にすべての構成要素に電力を与えることができる。
【０１１２】
ネットワークインターフェース27は、ディスプレイデバイス40がネットワークを介して1つまたは複数のデバイスと通信することができるように、アンテナ43とトランシーバ47とを含む。ネットワークインターフェース27はまた、たとえば、プロセッサ21のデータ処理要件を軽減するための、何らかの処理能力を有し得る。アンテナ43は信号を送信および受信することができる。いくつかの実施態様では、アンテナ43は、IEEE16.11(a)、(b)、または(g)を含むIEEE16.11規格、あるいはIEEE802.11a、b、g、nを含むIEEE802.11規格、およびそれらのさらなる実施態様に従って、RF信号を送信および受信する。いくつかの他の実施態様では、アンテナ43は、BLUETOOTH（登録商標）規格に従ってRF信号を送信および受信する。セルラー電話の場合、アンテナ43は、3Gまたは4G技術を利用するシステムなどのワイヤレスネットワーク内で通信するために使用される、符号分割多元接続(CDMA)、周波数分割多元接続(FDMA)、時分割多元接続(TDMA)、Global System for Mobile communications(GSM（登録商標）)、GSM（登録商標）/General Packet Radio Service(GPRS)、Enhanced Data GSM（登録商標） Environment(EDGE)、Terrestrial Trunked Radio(TETRA)、広帯域CDMA(W-CDMA)、Evolution Data Optimized(EV-DO)、1xEV-DO、EV-DO Rev A、EV-DO Rev B、高速パケットアクセス(HSPA)、高速ダウンリンクパケットアクセス(HSDPA)、高速アップリンクパケットアクセス(HSUPA)、発展型高速パケットアクセス(HSPA+)、Long Term Evolution(LTE)、AMPS、または他の知られている信号を受信するように設計される。トランシーバ47は、アンテナ43から受信された信号がプロセッサ21によって受信され、プロセッサ21によってさらに操作され得るように、その信号を前処理することができる。トランシーバ47はまた、プロセッサ21から受信された信号がアンテナ43を介してディスプレイデバイス40から送信され得るように、その信号を処理することができる。
【０１１３】
いくつかの実施態様では、トランシーバ47は受信機によって置き換えられ得る。さらに、いくつかの実施態様では、ネットワークインターフェース27は、プロセッサ21に送られるべき画像データを記憶または生成することができる画像ソースによって置き換えられ得る。プロセッサ21は、ディスプレイデバイス40の全体的な動作を制御することができる。プロセッサ21は、ネットワークインターフェース27または画像ソースから圧縮された画像データなどのデータを受信し、そのデータを生画像データに、または生画像データに容易に処理されるフォーマットに、処理する。プロセッサ21は、処理されたデータをドライバコントローラ29に、または記憶のためにフレームバッファ28に送ることができる。生データは、一般に、画像内の各ロケーションにおける画像特性を識別する情報を指す。たとえば、そのような画像特性は、色、飽和、およびグレースケールレベルを含むことができる。
【０１１４】
プロセッサ21は、ディスプレイデバイス40の動作を制御するためのマイクロコントローラ、CPU、または論理ユニットを含むことができる。調整ハードウェア52は、スピーカー45に信号を送信するための、およびマイクロフォン46から信号を受信するための、増幅器およびフィルタを含み得る。調整ハードウェア52は、ディスプレイデバイス40内の個別構成要素であり得、あるいはプロセッサ21または他の構成要素内に組み込まれ得る。
【０１１５】
ドライバコントローラ29は、プロセッサ21によって生成された生画像データをプロセッサ21から直接、またはフレームバッファ28から取ることができ、アレイドライバ22への高速送信のために適宜に生画像データを再フォーマットすることができる。いくつかの実施態様では、ドライバコントローラ29は、生画像データを、ラスタ様フォーマットを有するデータフローに再フォーマットすることができ、その結果、そのデータフローは、ディスプレイアレイ30にわたって走査するのに好適な時間順序を有する。次いで、ドライバコントローラ29は、フォーマットされた情報をアレイドライバ22に送る。LCDコントローラなどのドライバコントローラ29は、しばしば、スタンドアロン集積回路(IC)としてシステムプロセッサ21に関連付けられるが、そのようなコントローラは多くの方法で実施され得る。たとえば、コントローラは、ハードウェアとしてプロセッサ21中に埋め込まれるか、ソフトウェアとしてプロセッサ21中に埋め込まれるか、またはハードウェアにおいてアレイドライバ22と完全に一体化され得る。
【０１１６】
アレイドライバ22は、ドライバコントローラ29からフォーマットされた情報を受信することができ、ビデオデータを波形の並列セットに再フォーマットすることができ、波形の並列セットは、ディスプレイのピクセルのx-y行列から来る、数百の、および時には数千の(またはより多くの)リード線に毎秒何回も適用される。
【０１１７】
いくつかの実施態様では、ドライバコントローラ29、アレイドライバ22、およびディスプレイアレイ30は、本明細書で説明するディスプレイのタイプのうちのいずれにも適している。たとえば、ドライバコントローラ29は、従来のディスプレイコントローラまたは双安定ディスプレイコントローラ(IMODコントローラなど)であり得る。さらに、アレイドライバ22は、従来のドライバまたは双安定ディスプレイドライバ(IMODディスプレイドライバなど)であり得る。さらに、ディスプレイアレイ30は、従来のディスプレイアレイまたは双安定ディスプレイアレイ(IMODのアレイを含むディスプレイなど)とすることができる。いくつかの実施態様では、ドライバコントローラ29はアレイドライバ22と一体化することができる。そのような実施態様は、高集積システム、たとえば、モバイルフォン、ポータブル電子デバイス、ウォッチまたは小面積ディスプレイにおいて、有用であることがある。
【０１１８】
いくつかの実施態様では、入力デバイス48は、たとえば、ユーザがディスプレイデバイス40の動作を制御できるように構成することができる。入力デバイス48は、QWERTYキーボードまたは電話キーパッドなどのキーパッド、ボタン、スイッチ、ロッカー、タッチセンシティブスクリーン、ディスプレイアレイ30と一体化されたタッチセンシティブスクリーン、あるいは感圧膜または感熱膜を含むことができる。マイクロフォン46は、ディスプレイデバイス40のための入力デバイスとして構成することができる。いくつかの実施態様では、ディスプレイデバイス40の動作を制御するために、マイクロフォン46を通してのボイスコマンドを用いることができる。
【０１１９】
電源50は種々のエネルギー蓄積デバイスを含むことができる。たとえば、電源50は、ニッケルカドミウムバッテリまたはリチウムイオンバッテリなどの充電式バッテリとすることができる。充電式バッテリを使用する実装形態では、充電式バッテリは、たとえば、壁コンセントあるいは光起電性デバイスまたはアレイから来る電力を使用して充電可能であり得る。代替的には、充電式バッテリはワイヤレス充電可能とすることができる。電源50はまた、再生可能エネルギー源、キャパシタ、あるいはプラスチック太陽電池または太陽電池塗料を含む太陽電池とすることもできる。電源50はまた、壁コンセントから電力を受け取るように構成することもできる。
【０１２０】
いくつかの実施態様では、制御プログラマビリティがドライバコントローラ29中に存在し、これは電子ディスプレイシステム中のいくつかの場所に配置され得る。いくつかの他の実施態様では、制御プログラマビリティがアレイドライバ22中に存在する。上記で説明した最適化は、任意の数のハードウェアおよび/またはソフトウェア構成要素において、ならびに様々な構成において実施され得る。
【０１２１】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【０１２２】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、DSPとマイクロプロセッサとの組合せ、複数のマイクロプロセッサ、DSPコアと連携する1つまたは複数のマイクロプロセッサ、あるいは任意の他のそのような構成などのコンピューティングデバイスの組合せとして実施することもできる。いくつかの実施態様では、特定のステップおよび方法が、所与の機能に固有である回路によって実行され得る。
【０１２３】
1つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、1つまたは複数のコンピュータプログラムとして、すなわち、データ処理装置が実行するためにコンピュータ記憶媒体上に符号化された、またはデータ処理装置の動作を制御するための、コンピュータプログラム命令の1つまたは複数のモジュールとして、実施され得る。
【０１２４】
ソフトウェアで実施する場合、機能は、1つまたは複数の命令またはコードとしてコンピュータ可読媒体上に記憶するか、あるいはコンピュータ可読媒体を介して送信することができる。本明細書で開示された方法またはアルゴリズムのステップは、コンピュータ可読媒体上に存在し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、データをレーザで光学的に再生する。上記の組合せもコンピュータ可読媒体の範囲内に含め得る。さらに、方法またはアルゴリズムの動作は、コンピュータプログラム製品に組み込まれ得る、機械可読媒体およびコンピュータ可読媒体上のコードおよび命令の、1つまたは任意の組合せまたはセットとして存在し得る。本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与えられるべきである。「例示的」という単語は
、本明細書ではもっぱら「例、事例、または例示の働きをすること」を意味するために使用される。本明細書に「例示的」と記載されたいかなる実施態様も、必ずしも他の可能性または実施態様よりも好ましいまたは有利であると解釈されるべきではない。さらに、「上側」および「下側」という用語は、図の説明を簡単にするために時々使用され、適切に配向されたページ上の図の配向に対応する相対位置を示すが、実施されたIMODの適切な配向を反映しないことがあることを、当業者は容易に諒解されよう。
【０１２５】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの1つまたは複数の特徴は、場合によってはその組合せから削除され得、請求される組合せは、部分組合せ、または部分組合せの変形形態を対象とし得る。
【０１２６】
同様に、動作は特定の順序で図面に示されているが、そのような動作は、望ましい結果を達成するために、示される特定の順序でまたは順番に実行される必要がないこと、またはすべての例示される動作が実行される必要があるとは限らないことは、当業者は容易に認識されよう。さらに、図面は、流れ図の形態でもう1つの例示的なプロセスを概略的に示し得る。ただし、図示されていない他の動作が、概略的に示される例示的なプロセスに組み込まれ得る。たとえば、1つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【符号の説明】
【０１２７】
14  可動反射層
14a  反射副層
14c  上部金属層
16a  光吸収体
21  プロセッサ
22  アレイドライバ
27  ネットワークインターフェース
28  フレームバッファ
29  ドライバコントローラ
30  ディスプレイアレイ、ディスプレイ
40  ディスプレイデバイス
41  ハウジング
43  アンテナ
45  スピーカー
46  マイクロフォン
47  トランシーバ
48  入力デバイス
50  電力システム、電源
52  調整ハードウェア
【図１】
2015504532.tif 000003
【図２】
2015504532.tif 000004
【図３】
2015504532.tif 000005
【図４】
2015504532.tif 000006
【図５Ａ】
2015504532.tif 000007
【図５Ｂ】
2015504532.tif 000008
【図６Ａ】
2015504532.tif 000009
【図６Ｂ】
2015504532.tif 000010
【図６Ｃ】
2015504532.tif 000011
【図６Ｄ】
2015504532.tif 000012
【図６Ｅ】
2015504532.tif 000013
【図７】
2015504532.tif 000014
【図８Ａ】
2015504532.tif 000015
【図８Ｂ】
2015504532.tif 000016
【図８Ｃ】
2015504532.tif 000017
【図８Ｄ】
2015504532.tif 000018
【図８Ｅ】
2015504532.tif 000019
【図９】
2015504532.tif 000020
【図１０】
2015504532.tif 000021
【図１１】
2015504532.tif 000022
【図１２】
2015504532.tif 000023
【図１３】
2015504532.tif 000024
【図１４】
2015504532.tif 000025
【図１５】
2015504532.tif 000026
【図１６】
2015504532.tif 000027
【図１７】
2015504532.tif 000028
【図１８】
2015504532.tif 000029
【図１９Ａ】
2015504532.tif 000030
【図１９Ｂ】
2015504532.tif 000031
【図１９Ｃ】
2015504532.tif 000032
【図２０Ａ】
2015504532.tif 000033
【図２０Ｂ】
2015504532.tif 000034
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
パッシブマトリックス表示装置の一部分であって、
アレイを形成する行および列内に配列され、各ディスプレイ要素が、暗状態およびディスプレイ要素が光の色を与えることができる明状態を有するように構成された、複数の赤、青および緑のディスプレイ要素と、
前記複数のディスプレイ要素に電気的駆動信号を与えるように構成され、各コモンラインが、ディスプレイ要素の2つ以上の行に関連付けられ、前記明状態において同じ光の色を与えかつディスプレイ要素の関連する2つ以上の行内にあるディスプレイ要素に電気的に接続される、複数のコモンラインと、
複数のセグメントラインの各々がディスプレイ要素の2つの列の間に配設され、複数のセグメントラインの各セットがディスプレイ要素の列に関連付けられる、複数のセグメントラインの複数のセットと、
各駆動ラインが前記複数のコモンラインのうちの2つに電気的に接続され、単一の駆動ラインに関連付けられたディスプレイ要素が、それぞれ、異なるセグメントラインに関連付けられた、複数の駆動ラインとを備え、
前記表示装置が、前記セグメントラインのうちの1つと前記駆動ラインのうちの1つとを使用して前記アレイ内の前記ディスプレイ要素の各々をアドレス指定するように構成される、装置。
【請求項２】
複数のセグメントラインの1セットが、ペアになったセグメントラインを含む、請求項1に記載の装置。
【請求項３】
各コモンラインが、前記コモンラインが関連付けられている前記ディスプレイ要素の前記2つ以上の行のうちの少なくとも2つの間に配設される、請求項2に記載の装置。
【請求項４】
ディスプレイ要素の前記2つ以上の行内の前記ディスプレイ要素の各々が前記同じ光の色を与える、請求項2に記載の装置。
【請求項５】
セグメントラインの各ペアがディスプレイ要素の列に関連付けられ、セグメントラインのペアの第1のセグメントラインが、2つの行のうちの一方の中でかつディスプレイ要素の第1の列の中の第1の色の第1のディスプレイ要素に接続され、セグメントラインの前記ペアの第2のセグメントラインが、前記2つの行のうちの他方の中でかつディスプレイ要素の前記第1の列の中の前記第1の色の第2のディスプレイ要素に接続される、請求項4に記載の装置。
【請求項６】
前記表示装置が、ディスプレイ要素の前記2つの行に関連付けられたコモンラインと、セグメントラインとによって前記2つの行の中の前記ディスプレイ要素の各々を個別にアドレス指定するように構成される、請求項5に記載の装置。
【請求項７】
前記2つの行の中の前記ディスプレイ要素の各々が緑の光を与える、請求項3に記載の装置。
【請求項８】
前記表示装置が、前記2つの行に関連付けられたコモンラインと、各ディスプレイ要素がその中に配設された列に関連付けられたセグメントラインとによって前記2つの行の中の前記ディスプレイ要素の各々を個別にアドレス指定するように構成される、請求項2に記載の装置。
【請求項９】
ディスプレイ要素の前記アレイを備える電子ディスプレイと、
前記電子ディスプレイと通信するように構成され、画像データを処理するように構成されたプロセッサと、
前記プロセッサと通信するように構成されたメモリデバイスと
をさらに備える、請求項1に記載の装置。
【請求項１０】
前記ディスプレイに少なくとも1つの信号を送るように構成されたドライバ回路をさらに備える、請求項9に記載の装置。
【請求項１１】
前記ドライバ回路に前記画像データの少なくとも一部分を送るように構成されたコントローラをさらに備える、請求項10に記載の装置。
【請求項１２】
前記プロセッサに前記画像データを送るように構成された画像ソースモジュールをさらに備える、請求項9に記載の装置。
【請求項１３】
前記画像ソースモジュールが、受信機、トランシーバ、および送信機のうちの少なくとも1つを含む、請求項12に記載の装置。
【請求項１４】
入力データを受信し、前記プロセッサに前記入力データを通信するように構成された入力デバイスをさらに備える、請求項9に記載の装置。
【請求項１５】
セグメントラインの各ペアがディスプレイ要素の列に関連付けられ、セグメントラインのペアの第1のセグメントラインが、第1のコモンラインに関連付けられたディスプレイ要素の前記2つの行のうちの一方の中で第1の色の第1のディスプレイ要素に接続され、前記セグメントラインペアの第2のセグメントラインが、前記第1のコモンラインに関連付けられたディスプレイ要素の前記2つの行のうちの他方の中で前記第1の色の第2のディスプレイ要素に接続される、請求項2に記載の装置。
【請求項１６】
セグメントラインの各ペアが、ディスプレイ要素の列に関連付けられ、
セグメントラインのペアの第1のセグメントラインが、第1のコモンラインに関連付けられたディスプレイ要素の前記2つの行のうちの一方の中でかつディスプレイ要素の第1の列の中の第1の色の第1のディスプレイ要素に接続され、
セグメントラインの前記ペアの第2のセグメントラインが、第2のコモンラインに関連付けられた前記2つの行のうちの一方の中でかつディスプレイ要素の前記第1の列の中の前記第1の色の第2のディスプレイ要素に接続され、
前記第1および前記第2のコモンラインが、コモンラインのペアを形成し、同じ駆動ラインに接続される、請求項1に記載の装置。
【請求項１７】
パッシブマトリックス表示装置の一部分であって、
暗状態および情報表示手段が光の色を与える明状態を、情報表示手段の各々が有するように構成され、赤い光を表示するための手段と、緑の光を表示するための手段と、青い光を表示するための手段とを含む、情報を表示するための複数の手段と、
行駆動信号供給手段の各々が情報表示手段の2つの行に関連付けられ、明状態において同じ光の色を与えかつ情報表示手段の関連する2つの行内にある情報表示手段に前記行駆動信号供給手段の各々が電気的に接続される、情報表示手段の行に駆動信号を与えるための複数の手段と、
各列駆動信号供給手段が情報表示手段の2つの列の間に配設され、列駆動信号供給手段の各ペアが情報表示手段の列に関連付けられる、情報表示手段の列に駆動信号を与えるための複数のペアになった手段と、
駆動信号を列に与えるための前記手段のうちの2つに駆動信号を与えるための複数の駆動手段とを含み、前記駆動手段のうちの2つに駆動信号を与えるための単一の手段に関連付けられた情報表示手段が、それぞれ、情報表示手段の列に駆動信号を与えるための異なる手段に関連付けられ、
前記表示装置が、前記行駆動信号供給手段のうちの1つと、セグメントラインのうちの1つと、列駆動手段のうちの1つとを使用して情報供給手段のアレイの各々をアドレス指定するように構成される、装置。
【請求項１８】
前記情報表示手段が、アレイを形成する行および列内に配列された複数のディスプレイ要素を含み、各ディスプレイ要素が、暗状態および前記ディスプレイ要素が光の色を与える明状態を有するように構成される、請求項17に記載の装置。
【請求項１９】
前記列駆動信号供給手段が複数のコモンラインを含む、請求項17に記載の装置。
【請求項２０】
前記列駆動信号供給手段が、複数のペアになったセグメントラインを含む、請求項17に記載の装置。
【請求項２１】
パッシブマトリックス表示装置の一部分を製造する方法であって、
アレイを形成する行および列内に配列され、各ディスプレイ要素が、暗状態およびディスプレイ要素が光の色を与えることができる明状態を有するように構成された、複数の赤、緑および青のディスプレイ要素を設けるステップと、
前記複数のディスプレイ要素に電気的駆動信号を与えるように構成され、各コモンラインがディスプレイ要素の2つの行に関連付けられる、複数のコモンラインを設け、また、前記明状態において同じ光の色を与えかつディスプレイ要素の関連する2つの行内にあるディスプレイ要素に各コモンラインを接続するステップと、
複数のセグメントラインの各々がディスプレイ要素の2つの列の間に配設され、複数のセグメントラインの各セットがディスプレイ要素の列に関連付けられる、複数のセグメントラインの複数のセットを設けるステップと、
各駆動ラインが前記複数のコモンラインのうちの2つに電気的に接続され、単一の駆動ラインに関連付けられたディスプレイ要素が、それぞれ、異なるセグメントラインに関連付けられた、複数の駆動ラインを設けるステップと、
前記セグメントラインのうちの1つと前記駆動ラインのうちの1つとを使用して前記アレイ内の前記ディスプレイ要素の各々をアドレス指定するように前記表示装置を構成するステップとを含む、方法。
【請求項２２】
ディスプレイ要素の第1の列内で第1の色の第1のディスプレイ要素に複数のセグメントラインのセットの第1のセグメントラインを接続するステップと、
ディスプレイ要素の前記第1の列内で前記第1の色の第2のディスプレイ要素にセグメントラインのペアの複数のセグメントラインの前記セットの第2のセグメントラインを接続するステップとをさらに含み、前記第1および前記第2のディスプレイ要素が同じコモンラインに電気的に接続される、請求項21に記載の方法。
【請求項２３】
第1のコモンラインに関連付けられたディスプレイ要素の前記2つの行のうちの一方の中でかつディスプレイ要素の第1の列の中の第1の色の第1のディスプレイ要素に、セグメントラインのペアの第1のセグメントラインを接続し、第2のコモンラインに関連付けられた前記2つの行のうちの一方の中でかつディスプレイ要素の前記第1の列の中の前記第1の色の第2のディスプレイ要素に、セグメントラインの前記ペアの第2のセグメントラインを接続するステップと、
コモンラインのペアを形成する前記第1および前記第2のコモンラインを同じ駆動ラインに接続するステップとをさらに含む、請求項21に記載の方法。
【手続補正２】
【補正対象書類名】明細書
【補正対象項目名】００７２
【補正方法】変更
【補正の内容】
【００７２】
図13に示すように、ピクセル1302および1312はピクセル要素の類似の配列を有するが、互いに対して異なって整列される。たとえば、1つの方向(図13のディスプレイ要素の左端の列に示す垂直方向)に沿って、ディスプレイ要素は、ピクセル1302からピクセル1312でジグザグに配置されるので、隣接するピクセルのディスプレイ要素は異なる配列になる。具体的には、ピクセル1302は、第1の行内の赤および第1の緑のディスプレイ要素1304および1305と、第2の行内の第2の緑および青のディスプレイ要素1307および1306とを有する2×2ディスプレイ要素配列で表される。ピクセル1302と直接隣接して配設されるピクセル1312(ピクセル1302の下に整列されるように図13に示されている)もまた、2×2ディスプレイ要素配列で表される。しかしながら、ピクセル1312の第1の行は、青および第2の緑のディスプレイ要素1316および1317を含み、ピクセル1312の第2の行は、第1の緑および赤のディスプレイ要素1315および1314を含む。言い換えれば、ディスプレイの1つの方向に沿った隣接ピクセルでは、赤および青のディスプレイ要素の位置がスワップされる。そのような実施態様では、各色に対するディスプレイ要素は、各色に対する個別の専用のコモン(「COM」)駆動ラインで駆動され得る。
【手続補正３】
【補正対象書類名】明細書
【補正対象項目名】００９３
【補正方法】変更
【補正の内容】
【００９３】
図19Aは、ディスプレイ要素の列の間に配設された2つのセグメントラインを有する、図9に示すディスプレイ900の一部分におけるディスプレイ要素に結合されたラインを表す平面図の概略図を示す。図示の実施態様では、ディスプレイ要素の列の2倍のセグメントラインが存在する。赤、緑および青のディスプレイ要素は、ディスプレイ900において、それぞれ「R」、「G」および「B」で示される。赤、緑および青のディスプレイ要素は、図9に示すように、同じ配列で示される。以下で述べる方向的参照は、図9に示すディスプレイ900の部分の相対配向を指し、本開示の明快さのために提供される。このバスライン構造は、異なる色のディスプレイ要素が異なる作動電圧を有し、側辺上で隣接するディスプレイ要素が同じ色を与えないようにディスプレイ要素が配列されているときでも、同じ作動電圧を有するディスプレイ要素が単一のCOMラインでアドレス指定され得るような方法で、ドライバによって個別にアドレス指定可能であることを可能にする。言い換えれば、特定の色のディスプレイ要素は、その色のディスプレイ要素だけを駆動するCOMラインに接続され得る。そのような実施態様はまた、フレームリフレッシュレートを高めるために有利であり得る。たとえば、2つの青の行を一度に同時に更新することによって、フレームレートを高めることができる。COMライン1932は、青のディスプレイ要素の2つの行に接続され、COMライン1935はまた、青のディスプレイ要素の2つの行に接続される。これらの2つの行内の青のディスプレイ要素の各々は異なるセグメントラインに接続されているので、COMライン1932または1935のいずれかに駆動信号を与えることで、COMラインがやはり接続されている2つの行内の青のディスプレイ要素の各々をアドレス指定することができる。別の実施態様では、COMライン1931および1934は、同じ駆動ライン1942に接続され得、COMライン1931および1934の各々に接続される2つの行内の赤のディスプレイ要素は、赤のディスプレイ要素の各々は異なるセグメントラインに接続されているので、同時にアドレス指定され得る。このことは、スクリーンを更新するのにかかる時間を50%以上短縮し、フレームリフレッシュレートを2倍以上増加させる。いくつかの実施態様では、ディスプ
レイ要素は、ブラックマスクルーティング方式の単層で実装されるCOMラインによって接続される。
【国際調査報告】
2015504532.tif 000035
2015504532.tif 000036